(57)【要約】  本発明は、複素環式チオール/ジスルフィド蛍光着色剤を含む染色用組成物、および前記組成物を使用する、ケラチン物質、特にケラチン繊維、特に髪などのヒトのケラチン繊維の、明色化効果を有する着色方法に関する。本発明は、新規の複素環式チオール/ジスルフィド蛍光着色剤、およびケラチン物質を明色化するためのその使用にも関する。前記組成物は、暗色ケラチン繊維に対して特に落ちにくく目に見える明色化効果をもたらす。【特許請求の範囲】
【請求項１】
以下の式(I)、(II)または(III)
【化１】
2009533488.tif 000051
[式(I)、(II)または(III)において、
RaおよびR'aは、同一でも異なっていてもよく、ヒドロキシル基またはアミノ基、(C1〜C4)アルキルアミノ基もしくは(C1〜C4)ジアルキルアミノ基で置換されていてもよいアリール(C1〜C4)アルキル基または(C1〜C6)アルキル基を表し、前記アルキル基は、それらの基を結合している窒素原子と共に、窒素と異なっても同一であってもよい別のヘテロ原子を場合により含み5〜7員を含む複素環を形成してもよく、
R'cは、水素原子、置換されていてもよいアリール(C1〜C4)アルキル基またはC1〜C6アルキル基を表し、
Rg、R'g、R"g、R"'g、Rh、R'h、R"hおよびR"'hは、同一でも異なっていてもよく、水素原子、ハロゲン原子、アミノ、(C1〜C4)アルキルアミノ、(C1〜C4)ジアルキルアミノ、シアノ、カルボキシル、ヒドロキシルもしくはトリフルオロメチルの各基、アシルアミノ、C1〜C4アルコキシ、C2〜C4(ポリ)ヒドロキシアルコキシ、アルキルカルボニルオキシ、アルコキシカルボニルもしくはアルキルカルボニルアミノの各基、アシルアミノ、カルバモイルもしくはアルキルスルホニルアミノの各基、アミノスルホニル基、または(C1〜C4)アルコキシ、ヒドロキシル、シアノ、カルボキシル、アミノ、(C1〜C4)アルキルアミノおよび(C1〜C4)ジアルキルアミノから選択される基で置換されていてもよい(C1〜C4)アルキル基を表し、そうでなければそのアミノ基の窒素原子に結合している2つのアルキル基が、その窒素原子と同一かもしくは異なる別のヘテロ原子を場合により含み5〜7員を含む複素環を形成し、
そうでなければ、2つの隣接した炭素原子に結合している2つの基RgおよびR'g、R"gおよびR"'g、RhおよびR'h、R"hおよびR"'hは、一緒になってベンゾ環もしくはインデノ環または縮合複素環式アルキル基もしくは縮合ヘテロアリール基を形成し;ベンゾ環、インデノ環、複素環式アルキル環もしくはヘテロアリール環は、ハロゲン原子、アミノ、(C1〜C4)アルキルアミノ、(C1〜C4)ジアルキルアミノ、シアノ、カルボキシル、ヒドロキシルもしくはトリフルオロメチルの各基、アシルアミノ、(C1〜C4)アルコキシ、C2〜C4(ポリ)ヒドロキシアルコキシ、アルキルカルボニルオキシ、アルコキシカルボニルもしくはアルキルカルボニルアミノの各基、カルバモイルもしくはアルキルスルホニルアミノの各基、アミノスルホニル基、または(C1〜C4)アルコキシ、ヒドロキシル、シアノ、カルボキシル、アミノ、(C1〜C4)アルキルアミノおよび(C1〜C4)ジアルキルアミノから選択される基で置換されていてもよい(C1〜C4)アルキル基で置換されていてもよく、そうでなければそのアミノ基の窒素原子に結合している2つのアルキル基が、その窒素原子と同一かもしくは異なる別のヘテロ原子を場合により含み5〜7員を含む複素環を形成し、
Ri、R'i、R"iおよびR"'iは、同一でも異なっていてもよく、水素原子または(C1〜C4)アルキル基を表し、
R1、R2、R3、R4、R'1、R'2、R'3およびR'4は、同一でも異なっていてもよく、水素原子または(C1〜C4)アルキル、(C1〜C4)アルコキシ、ヒドロキシル、シアノ、カルボキシル、アミノ、(C1〜C4)アルキルアミノもしくは(C1〜C4)ジアルキルアミノの各基を表し、前記アルキル基は、それらの基を結合している窒素原子と共に、窒素と異なっても同一であってもよい別のヘテロ原子を場合により含み5〜7員を含む複素環を形成してもよく、
TaまたはTbは、同一でも異なっていてもよく、
i)σ共有結合か、
ii)-SO2-、-O-、-S-、-N(R)-、-N+(R)(R°)-および-C(O)-(RおよびR°は、同一でも異なっていてもよく、水素原子、C1〜C4アルキル基もしくはC1〜C4ヒドロキシアルキル基またはアリール(C1〜C4)アルキルを表す)から選択される1つもしくは複数の基またはそれらの組合せか、
iii)あるいは、1つまたは2つのヘテロ原子、特に2つの窒素原子を含有し特に5〜7員を含む、好ましくは単環式の、カチオン性または非カチオン性複素環式アルキル基またはヘテロアリール基
のいずれかを表し、
【化２】
2009533488.tif 000052
は、同一でも異なっていてもよく、置換されていてもよいカチオン性または非カチオン性複素環式基を表し、
m、m'、nおよびn'は、同一でも異なっていてもよく、0〜6の両端を含めた整数を表し、m+nおよびm'+n'は、同一でも異なっていてもよく、1〜10の両端を含めた整数を表し、
M'は、アニオン性対イオンを表し、
Yは、i)水素原子、ii)アルカリ金属、iii)アルカリ土類金属、iv)アンモニウム基:N+RαRβRγRδもしくはホスホニウム基:P+RαRβRγRδ[Rα、Rβ、RγおよびRδは、同一でも異なっていてもよく、水素原子もしくは(C1〜C4)アルキル基を表す]、またはv)チオール官能基保護基を表し、
式(I)、(II)または(III)の化合物が他のカチオン性部分を含有する場合、1つまたは複数のアニオン性対イオンと結合するため、式(I)、(II)または(III)は電気的中性を達成できることが理解される]
の蛍光染料、その有機酸塩または鉱酸塩、それらの光学異性体および幾何異性体、ならびに水和物などのその溶媒和物。
【請求項２】
mおよびm'が0である、請求項1に記載の式(I)、(II)または(III)の蛍光染料。
【請求項３】
式
【化３】
2009533488.tif 000053
の複素環が、置換されていてもよいカチオン性または非カチオン性複素環式基
【化４】
2009533488.tif 000054
を表す、請求項1または2に記載の式(I)、(II)または(III)の蛍光染料。
【請求項４】
式
【化５】
2009533488.tif 000055
の複素環が、全体で1個の窒素原子を含み、5〜7員として形成される単環式飽和複素環式基を表す、請求項1または2に記載の式(I)、(II)または(III)の蛍光染料。
【請求項５】
Yが水素原子またはアルカリ金属を表す、請求項1から4のいずれか一項に記載の式(III)の蛍光染料。
【請求項６】
Yが保護基を表す、請求項1から4のいずれか一項に記載の式(III)の蛍光染料。
【請求項７】
Yが、以下の基:
(C1〜C4)アルキルカルボニル、
(C1〜C4)アルキルチオカルボニル、
(C1〜C4)アルコキシカルボニル、
(C1〜C4)アルコキシチオカルボニル、
(C1〜C4)アルキルチオチオカルボニル、
(ジ)(C1〜C4)(アルキル)アミノカルボニル、
(ジ)(C1〜C4)(アルキル)アミノチオカルボニル、
アリールカルボニル、
アリールオキシカルボニル、
アリール(C1〜C4)アルコキシカルボニル、
(ジ)(C1〜C4)(アルキル)アミノカルボニル、
(C1〜C4)(アルキル)アリールアミノカルボニル、
カルボキシル、
M+がアルカリ金属を表すSO3-,M+(そうでなければ式(III)のM'およびM+が存在しない)、
置換されていてもよいアリール、
置換されていてもよいヘテロアリール、
R'c、R'd、R'eおよびR'fが、同一でも異なっていてもよく、水素原子または(C1〜C4)アルキル基を表すイソチオウロニウム-C(NR'cR'd)=N+R'eR'f;An-、
R'c、R'dおよびR'eが上記で定義した通りであるイソチオ尿素-C(NR'cR'd)=NR'e、
置換されていてもよい(ジ)アリール(C1〜C4)アルキル、
置換されていてもよい(ジ)ヘテロアリール(C1〜C4)アルキル、
R1、R2およびR3が、同一でも異なっていてもよく、ハロゲン原子またはi)(C1〜C4)アルキルと、ii)(C1〜C4)アルコキシと、iii)置換されていてもよいアリールと、
置換されていてもよいヘテロアリールと、
R'1およびR'2が、同一でも異なっていてもよく、ヒドロキシル、(C1〜C4)アルコキシもしくはアルキル基を表し、R'3が、ヒドロキシル基もしくは(C1〜C4)アルコキシ基を表し、Z1が、酸素原子もしくは硫黄原子を表すP(Z1)R'1R'2R'3と
から選択される基を表すCR1R2R3、
立体障害環式基、ならびに
置換されていてもよいアルコキシ(C1〜C4)アルキル
から選択される保護基を表す、請求項6に記載の式(III)の蛍光染料。
【請求項８】
Yが、アルカリ金属または
(C1〜C4)アルキルカルボニル、
アリールカルボニル、
(C1〜C4)アルコキシカルボニル、
アリールオキシカルボニル、
アリール(C1〜C4)アルコキシカルボニル、
(ジ)(C1〜C4)(アルキル)アミノカルボニル、
(C1〜C4)(アルキル)アリールアミノカルボニル、
置換されていてもよいアリール、
カチオン性の5もしくは6員単環式ヘテロアリール、
カチオン性8〜11員二環式ヘテロアリール、
以下の式
【化６】
2009533488.tif 000056
のカチオン性複素環、
イソチオウロニウム-C(NH2)=N+H2,An-、
イソチオ尿素-C(NH2)=NH、および
M+がアルカリ金属を表すSO3-,M+(そうでなければ式(III)のM'およびM+が存在しない)
から選択される保護基を表す、請求項1から7のいずれか一項に記載の式(III)の蛍光染料。
【請求項９】
ピリジニウム部分とフェニルとを、そのオルトまたはパラ位で、即ち4-4'、2-2'、2-4'位で連結しているエチレン基を有する、請求項1から8のいずれか一項に記載の式(I)、(II)または(III)の蛍光染料。
【請求項１０】
対称性である、請求項1から4および請求項9のいずれか一項に記載の式(I)の蛍光染料。
【請求項１１】
染料
【表１Ａ】
2009533488.tif 000057
【表１Ｂ】
2009533488.tif 000058
【表１Ｃ】
2009533488.tif 000059
【表１Ｄ】
2009533488.tif 000060
【表１Ｅ】
2009533488.tif 000061
【表１Ｆ】
2009533488.tif 000062
【表１Ｇ】
2009533488.tif 000063
(M'およびAn-は、同一でも異なっていてもよく、アニオン性対イオンを表し、M+はアルカリ金属を表す)
から選択される、請求項1から10のいずれか一項に記載の蛍光染料。
【請求項１２】
請求項1から11のいずれか一項に記載の式(I)、(II)または(III)の複素環式蛍光染料を適切な化粧料用媒体中に含む染料組成物。
【請求項１３】
請求項1から11のいずれか一項に記載の式(I)、(II)または(III)の少なくとも1つの複素環式蛍光染料および少なくとも1つの還元剤を、適切な化粧料用媒体中に含む染料組成物。
【請求項１４】
還元剤が、システイン、ホモシステイン、チオ乳酸、これらのチオールの塩、ホスフィン、亜硫酸水素塩、亜硫酸塩、チオグリコール酸、さらにそのエステルも、ホウ化水素およびその誘導体、ナトリウム塩、リチウム塩、カリウム塩、カルシウム塩、第4級アンモニウム塩、ならびにカテコールボランから選択される、請求項13に記載の染料組成物。
【請求項１５】
式(I)、(II)または(III)の複素環式蛍光染料が、前記組成物の全重量に対して0.001重量%〜50重量%の量で存在する、請求項11から14のいずれか一項に記載の組成物。
【請求項１６】
ケラチン物質のジスルフィド結合を還元し得る還元剤が場合により存在する下で、請求項1から11のいずれか一項に記載の式(I)、(II)または(III)の少なくとも1つの複素環式蛍光染料を適切な化粧料用媒体中に含む、請求項11から15のいずれか一項に記載の染料組成物が、該ケラチン物質に塗布される、ケラチン物質の染色方法。
【請求項１７】
式(III)の複素環式蛍光染料が保護基Yを含む場合、塗布する前に脱保護段階を行う、請求項16に記載の染色方法。
【請求項１８】
ケラチン物質が、6以下、好ましくは4以下の色調の高さを有する暗色ケラチン繊維であることを特徴とする、請求項16または17に記載のケラチン物質の染色方法。
【請求項１９】
還元剤が、チオール蛍光染料の塗付前または塗布後に塗布される、請求項16から18のいずれか一項に記載の方法。
【請求項２０】
式(I)または(II)の蛍光染料が前記還元剤と同時に塗付される、請求項16から18のいずれか一項に記載の染色方法。
【請求項２１】
組成物が酸化剤を含む、請求項16から20のいずれか一項に記載の方法。
【請求項２２】
ケラチン繊維に酸化剤を塗付することからなる追加の段階を含む、請求項16から20のいずれか一項に記載の方法。
【請求項２３】
第1区画が、請求項1から11に記載の式(I)、(II)または(III)の蛍光染料を含む染料組成物を含有し、第2区画が、ケラチン物質のジスルフィド結合を還元し得る還元剤を含有する、多区画デバイス。
【請求項２４】
酸化剤を含有する第3区画を含む、請求項23に記載のデバイス。
【請求項２５】
ヒトの暗色ケラチン繊維を染色するための、請求項1から11に記載の複素環式チオール蛍光染料の使用。
【請求項２６】
暗色ケラチン繊維を明色化するための、請求項25に記載の使用。
【請求項２７】
ケラチン繊維が、6未満の色調の高さを有することを特徴とする、請求項25および26に記載の使用。
【発明の詳細な説明】
【技術分野】
【０００１】
本発明は、複素環式アルキル基を含むチオール/ジスルフィド蛍光染料を使用するケラチン物質の染色に関する。
【背景技術】
【０００２】
直接染色によりケラチン繊維、特にヒトのケラチン繊維を染色することは公知の習慣である。直接染色に従来使用されている方法は、ケラチン繊維に対して親和性を有する着色された分子または着色性分子である直接染料をケラチン繊維に塗布する段階と、それらを拡散させておく段階と、次いでその繊維をリンスする段階とを含む。
【０００３】
従来使用されている直接染料は、例えば、ニトロベンゼン種の染料、アントラキノン染料、ニトロピリジン染料、またはアゾ種、キサンテン種、アクリジン種、アジン種もしくはトリアリールメタン種の染料である。
【０００４】
直接染料の使用の結果生じる着色は一時的着色または半永久的着色であるが、その理由は、直接染料をケラチン繊維に結合させる相互作用の性質ならびにその繊維の表面および/または芯からの該染料の脱離が、該染料の弱い染色力ならびに洗浄作業に対する耐性不良または耐汗性不良の原因となるからである。
【０００５】
さらに、従来の直接染料を使用するケラチン繊維の着色では、ケラチン繊維を有意に明色化することはできない。
【０００６】
ケラチン繊維、より詳細には、暗色ケラチン繊維の色を、より明るい色合いに、場合によりその色合いを変えることにより明色化することは、重要な要望となっている。
【０００７】
従来、より明るい着色を得るためには、化学的脱色法が使用される。この方法は、通常アルカリ媒体中で、通常過酸化水素からなる強酸化システムを、できる限り過酸基塩と組み合わせて使用して、ケラチン繊維、特に、髪などのケラチン物質を処理する段階を含む。
【０００８】
この脱色システムは、ケラチン物質、特にケラチン繊維、特に髪などのヒトのケラチン繊維を損傷する欠点およびそれらの化粧料特性に悪影響を及ぼす欠点を有する。実際、この繊維は、粗くなり、解くのがより困難になり、より脆弱になる傾向を有する。最後に、酸化剤を使用してケラチン繊維を明色化または脱色することと、特に整髪処理の際の、前記繊維の形状を変える処理とは両立しない。
【０００９】
別の明色化技法は、蛍光直接染料を暗色の髪に塗布する段階を含む。特に文献FR2830189およびWO2004/091473に記載のこの技法によって、その処理中ケラチン繊維の質を保持することは可能となるが、使用される蛍光染料はシャンプー作業に対して十分な耐性を示さない。
【００１０】
直接染料の堅牢度を高めるために、共有結合により直接染料を髪に固定することは公知の習慣である。例えば、反応基を含む染料とケラチン繊維中の非常に多数のシスチンまたはシステイン残基とを反応させることは公知の習慣であり、例えば、Journal of the Society of Dyers and Colourists、GuiseおよびStapleton、91、259〜264頁(1975)、Journal of Cosmetic Chemistry、42、1〜17頁(1991)、CA2024509を参照されたい。
【００１１】
さらに、髪にグラフトされる分子中に含有されるチオール官能基(複数も)を保護してからそれらを前記髪に塗布することは公知の習慣である(WO99/51194)。しかしながら、この塗布は、髪を染色または明色化するための蛍光染料の使用について言及していない。
【００１２】
ケラチン繊維を染色するための公知の他のジスルフィド染料は、アミノチオフェノール誘導体のジスルフィド誘導体である。このような染料は、例えば、特許FR1156407に記載されている。これらの染料は、比較的温和な条件下で、若干減少した媒体の存在下でまたは髪の前処理剤が低減した後に使用できる。しかしながらこれらの染料は、塗付中に色の変化をもたらす恐れがある。
【００１３】
最後に、文献WO2005/097051には、ケラチン繊維を直接染色するためのアザイミダゾリウムジスルフィド染料が記載されている。
【特許文献１】FR2830189
【特許文献２】WO2004/091473
【特許文献３】CA2024509
【特許文献４】WO99/51194
【特許文献５】FR1156407
【特許文献６】WO2005/097051
【特許文献７】DE19951134
【特許文献８】FR2586913
【非特許文献１】Journal of the Society of Dyers and Colourists、GuiseおよびStapleton、91、259〜264頁(1975)
【非特許文献２】Journal of Cosmetic Chemistry、42、1〜17頁(1991)
【非特許文献３】Massonにより出版されている、Charles Zviakによる書籍「Science des traitements capillaires」[Hair treatment sciences]、1988、215〜278頁
【非特許文献４】「Protective Groups in Organic Synthesis」、T.W.Greene、John Willey & Sons publisher、NY、1981、193〜217頁
【非特許文献５】「Protecting Groups」、P.Kocienski、Thieme、第3版、2005、5章
【非特許文献６】「Thiols and organic Sulfides」、「Thiocyanates and Isothiocyanates,organic」、Ullmann's Encyclopaedia、Wiley-VCH、Weinheim、2005
【非特許文献７】Advanced Organic Chemistry、J.March、第4版、John Willey & Sons、1992
【発明の開示】
【発明が解決しようとする課題】
【００１４】
本発明の目的は、既存の脱色方法の欠点を有さない、ケラチン物質、特にヒトのケラチン繊維、特に髪を染色するための新規システムを提供することである。特に、本発明の目的の1つは、継続的なシャンプー作業に対する耐性があり、ケラチン繊維を損傷せず、ケラチン繊維の化粧料特性に悪影響を及ぼさない、特に、生来または人工的に暗色のケラチン繊維に対して明色化効果を得るための直接染色システムを提供することである。
【課題を解決するための手段】
【００１５】
この目的は、本発明を使用して達成され、その主題は、ケラチン物質、特にケラチン繊維、特に髪などのヒトのケラチン繊維、より詳細には、暗色の髪を染色する方法であって、以下の式(I)、(II)または(III)
【化１】
2009533488.tif 000002
[式(I)、(II)または(III)において、
RaおよびR'aは、同一でも異なっていてもよく、ヒドロキシル基またはアミノ基、(C1〜C4)アルキルアミノ基もしくは(C1〜C4)ジアルキルアミノ基で置換されていてもよいアリール(C1〜C4)アルキル基または(C1〜C6)アルキル基を表し、前記アルキル基は、それらの基を結合している窒素原子と共に、窒素と異なっても同一であってもよい別のヘテロ原子を場合により含み5〜7員を含む複素環を形成してもよく、好ましくはRaおよびR'aは、ヒドロキシル基で置換されていてもよい、メチル基もしくはエチル基などの(C1〜C3)アルキル基、またはベンジル基を表し、
R'cは、水素原子、置換されていてもよいアリール(C1〜C4)アルキル基またはC1〜C6アルキル基を表し、
Rg、R'g、R"g、R"'g、Rh、R'h、R"h、およびR"'hは、同一でも異なっていてもよく、水素原子、ハロゲン原子、アミノ、(C1〜C4)アルキルアミノ、(C1〜C4)ジアルキルアミノ、シアノ、カルボキシル、ヒドロキシルもしくはトリフルオロメチルの各基、アシルアミノ、C1〜C4アルコキシ、C2〜C4(ポリ)ヒドロキシアルコキシ、アルキルカルボニルオキシ、アルコキシカルボニルもしくはアルキルカルボニルアミノの各基、カルバモイルもしくはアルキルスルホニルアミノの各基、アミノスルホニル基、または(C1〜C4)アルコキシ、ヒドロキシル、シアノ、カルボキシル、アミノ、(C1〜C4)アルキルアミノおよび(C1〜C4)ジアルキルアミノから選択される基で置換されていてもよい(C1〜C4)アルキル基を表し、そうでなければそのアミノ基の窒素原子に結合している2つのアルキル基が、その窒素原子と同一かもしくは異なる別のヘテロ原子を場合により含み5〜7員を含む複素環を形成し、特に、Rg、R'g、R"g、R"'g、Rh、R'h、R"hおよびR"'hは水素原子を表し、
そうでなければ、2つの隣接した炭素原子に結合している2つの基RgおよびR'g、R"gおよびR"'g、RhおよびR'h、R"hおよびR"'hは、一緒になってベンゾ環もしくはインデノ環または縮合複素環式アルキル基もしくは縮合ヘテロアリール基を形成し;そのベンゾ環、インデノ環、複素環式アルキル環もしくはヘテロアリール環は、ハロゲン原子、アミノ、(C1〜C4)アルキルアミノ、(C1〜C4)ジアルキルアミノ、シアノ、カルボキシル、ヒドロキシルもしくはトリフルオロメチルの各基、アシルアミノ、C1〜C4アルコキシ、C2〜C4(ポリ)ヒドロキシアルコキシ、アルキルカルボニルオキシ、アルコキシカルボニルもしくはアルキルカルボニルアミノの各基、カルバモイルもしくはアルキルスルホニルアミノの各基、アミノスルホニル基、または(C1〜C4)アルコキシ、ヒドロキシル、シアノ、カルボキシル、アミノ、(C1〜C4)アルキルアミノおよび(C1〜C4)ジアルキルアミノから選択される基で置換されていてもよい(C1〜C4)アルキル基で置換されていてもよく、そうでなければそのアミノ基の窒素原子に結合している2つのアルキル基が、その窒素原子と同一かもしくは異なる別のヘテロ原子を場合により含み5〜7員を含む複素環を形成し、特に、RgおよびR'g、R"gおよびR"'gは、一緒になってベンゾ基を形成し、
Ri、R'i、R"iおよびR"'iは、同一でも異なっていてもよく、水素原子または(C1〜C4)アルキル基を表し、特に、Ri、R'i、R"iおよびR"'iは水素原子を表し、
R1、R2、R3、R4、R'1、R'2、R'3およびR'4は、同一でも異なっていてもよく、水素原子または(C1〜C4)アルキル、(C1〜C4)アルコキシ、ヒドロキシル、シアノ、カルボキシル、アミノ、(C1〜C4)アルキルアミノもしくは(C1〜C4)ジアルキルアミノの各基を表し、前記アルキル基は、それらの基を結合している窒素原子と共に、窒素と異なっても同一であってもよいヘテロ原子を場合により含み5〜7員を含む複素環を形成してもよく、特に、R1、R2、R3、R4、R'1、R'2、R'3およびR'4は水素原子またはアミノ基であり、特に、R1、R2、R3およびR4は水素原子を表し、
TaまたはTbは、同一でも異なっていてもよく、
i)σ共有結合か、
ii)-SO2-、-O-、-S-、-N(R)-、-N+(R)(R°)-、-C(O)-(RおよびR°は、同一でも異なっていてもよく、水素原子、C1〜C4アルキル基もしくはC1〜C4ヒドロキシアルキル基またはアリール(C1〜C4)アルキルを表す)から選択される1つもしくは複数の基またはそれらの組合せか[特に、TaおよびTbは、σ共有結合または-N(R)-、-C(O)-、-C(O)-N(R)-、-N(R)-C(O)-、-C(O)-N(R)-C(O)-、-O-C(O)-、-C(O)-O-および-N+(R)(R°)-(RおよびR°は、同一でも異なっていてもよく、水素原子もしくはC1〜C4アルキル基を表す)から選択される基を表し、特に、TaおよびTbはσ結合を表す]、
iii)あるいは、メチルなどの(C1〜C4)アルキル基で置換されていてもよいイミダゾリウム、ピペラジニル、ピペラジニウム、ホモピペラジニルまたはホモピペラジニウムなどの、1つまたは2つのヘテロ原子、特に2つの窒素原子を含有し特に5〜7員を含む、好ましくは単環式の、カチオン性または非カチオン性複素環式アルキル基またはヘテロアリール基
のいずれかを表し、
【化２】
2009533488.tif 000003
は、同一でも異なっていてもよく、置換されていてもよいカチオン性または非カチオン性複素環式基を表し、特に、この複素環は、単環式かつ飽和であり、全体で1〜2個の窒素原子および5〜8員を含み、
m、m'、nおよびn'は、同一でも異なっていてもよく、0〜6の両端を含めた整数を表し、m+nおよびm'+n'は、同一でも異なっていてもよく、1〜10の両端を含めた整数を表し、特に、m+n=m'+n'の合計は2〜4の両端を含めた整数であり、優先的には、TaおよびTbがσ共有結合を表す場合、m+n=m'+n'は2に等しい整数であり、
M'は、アニオン性対イオンを表し、
Yは、i)水素原子、ii)アルカリ金属、iii)アルカリ土類金属、iv)アンモニウム基:N+RαRβRγRδもしくはホスホニウム基:P+RαRβRγRδ[Rα、Rβ、RγおよびRδは、同一でも異なっていてもよく、水素原子もしくは(C1〜C4)アルキル基を表す]、またはv)チオール官能基保護基を表し、
式(I)、(II)または(III)の化合物が他のカチオン性部分を含有する場合、1つまたは複数のアニオン性対イオンと結合するため、式(I)、(II)または(III)は電気的中性を達成できることが理解される]
の染料、その有機酸塩または鉱酸塩、それらの光学異性体および幾何異性体、ならびに水和物などのその溶媒和物から選択される、複素環式基を含む少なくとも1つの蛍光染料を化粧料として適切な媒体中に含む染料組成物をそのケラチン物質に塗付する段階を含む方法である。
【００１６】
本発明の別の主題は、上記で定義した式(I)、(II)または(III)の、複素環式基を含む少なくとも1つの蛍光染料を適切な化粧料用媒体中に含み、場合により還元剤も含む染料組成物である。
【００１７】
本発明の主題は、上記で定義した式(I)、(II)または(III)の新規蛍光染料でもある。
【００１８】
本発明による染色方法によって、暗色ケラチン物質、特にヒトの暗色ケラチン繊維、特に暗色髪を明色化することが可能になる。
【００１９】
さらに、本発明の方法によって、ケラチン物質、特にヒトのケラチン繊維、特に髪の着色を、シャンプー作業、日常的侵襲(太陽光、発汗)、および髪の他の処理に関して長く続く前記物質を損傷せずに達成することが可能になる。本発明の方法によって、ケラチン繊維、特に暗色ケラチン繊維、より詳細には暗色髪などのケラチン物質の明色化を達成することも可能になる。
【発明を実施するための最良の形態】
【００２０】
本発明では、用語「暗色ケラチン物質」は、C.I.E.L*a*b*システムで測定されるL*の明度が、L*=0が黒色に等しくL*=100が白色に等しいことも考慮して、45以下、好ましくは40以下を示す物質を意味することが意図される。
【００２１】
本発明では、表現「生来または人工的に暗色の髪」は、色調の高さが6以下(ダークブロンド色)、好ましくは4以下(赤茶色)である髪を意味することが意図される。
【００２２】
髪の明色化は、式(I)、(II)または(III)の化合物を塗付する前または塗付した後の「色調の高さ」の変化量によって評価される。
【００２３】
「色調」の概念は自然な色合いの分類に基づき、1つの色調により、各色合いがそのすぐ次のまたはそのすぐ前の色合いから区別される。この定義および自然な色合いの分類は、ヘアスタイリングの専門家に周知であり、Massonにより出版されている、Charles Zviakによる書籍「Science des traitements capillaires」[Hair treatment sciences]、1988、215〜278頁に公開されている。
【００２４】
色調の高さは1(黒色)〜10(非常に明るいブロンド色)の範囲にあり、一単位は1つの色調に相当し、その数が高ければ高いほどその色合いはより薄い。
【００２５】
人工的に着色した髪は、染色処理、例えば直接染料または酸化染料を使用した染色により変えられた色の髪である。
【００２６】
好ましくは、この組成物を髪に塗付した後、例えば赤茶色の髪に塗付した後、以下の結果に至るはずである。
400〜700ナノメートルの波長範囲内の可視光で髪が照射される場合の髪の反射性能レベルに関心を集中させる。
次いで、波長、本発明の組成物で処理した髪および未処理の髪の関数としての反射率曲線を比較する。
処理した髪に相当する曲線は、未処理の髪に相当する曲線より高い、450〜700ナノメートルの波長範囲内の反射率を示すはずである。
このことは、450〜700ナノメートルの波長範囲内に、処理した髪に相当する反射率曲線が、未処理の髪に相当する反射率曲線より高い少なくとも1つの範囲があることを意味する。用語「より高い」は、少なくとも0.05%、好ましくは少なくとも0.1%の反射率の差を意味することが意図される。それでもやはり、450〜700ナノメートルの波長範囲内に、処理した髪に相当する反射率曲線が、未処理の髪に相当する反射率曲線に重なるかまたはそれより低い少なくとも1つの範囲があってもよい。
【００２７】
処理した髪の反射率曲線と未処理の髪の反射率曲線との差が最大となる波長は、450〜650ナノメートルの波長範囲内、好ましくは450〜620ナノメートルの波長範囲内にあることが好ましい。
【００２８】
本発明では、特に指示しない限り:
「アリール」基もしくは「ヘテロアリール」基またはある基のアリール部分もしくはヘテロアリール部分は、
ヒドロキシル、C1〜C2アルコキシ、C2〜C4(ポリ)ヒドロキシアルコキシ、アシルアミノ、および2つのC1〜C4アルキル基で置換されているアミノであって、同一でも異なっていてもよく場合により少なくとも1つのヒドロキシル基を結合している2つのC1〜C4アルキル基で置換されている該アミノ、または飽和もしくは不飽和であり、置換されていてもよく、その窒素と同一でも異なっていてもよい別のヘテロ原子を場合により含み5〜7員、好ましくは5もしくは6員を含む複素環を、それらの基に結合している窒素原子と共に形成し得るその2つの基で置換されている該アミノの各基から選択される1つまたは複数の基で置換されていてもよいC1〜C16、好ましくはC1〜C8のアルキル基、
塩素、フッ素または臭素などのハロゲン原子、
ヒドロキシル基、
C1〜C2アルコキシ基、
C1〜C2アルキルチオ基、
C2〜C4(ポリ)ヒドロキシアルコキシ基、
アミノ基、
5または6員複素環式アルキル基、
場合によりカチオン性で5または6員のヘテロアリール基、好ましくはC1〜C4アルキル基、好ましくはメチルで置換されていてもよいイミダゾリウム、
同一でも異なっていてもよく、
i)1つのヒドロキシル基、
ii)飽和または不飽和であり、置換されていてもよく、窒素と異なっていても同一であってもよい少なくとも1つのヘテロ原子を場合により含み5〜7員を含む複素環を、それらの基に結合している窒素原子と共に形成し得る1つまたは2つの置換されていてもよいC1〜C3アルキル基で置換されていてもよい1つのアミノ基
を場合により少なくとも1つ結合している1つまたは2つのC1〜C6アルキル基で置換されているアミノ基、
R基が、水素原子または少なくとも1つのヒドロキシル基を場合により結合しているC1〜C4アルキル基であり、R'基がC1〜C2アルキル基であるアシルアミノ(-NR-COR')基、R基が、同一であってもなくてもよく、水素原子、または少なくとも1つのヒドロキシル基を場合により結合しているC1〜C4アルキル基を表すカルバモイル((R)2N-CO-)基、R基が、水素原子または少なくとも1つのヒドロキシル基を場合により結合しているC1〜C4アルキル基を表し、R'基がC1〜C4アルキル基またはフェニル基を表すアルキルスルホニルアミノ(R'SO2-NR-)基、R基が、同一であってもなくてもよく、水素原子または少なくとも1つのヒドロキシル基を場合により結合しているC1〜C4アルキル基を表すアミノスルホニル((R)2N-SO2-)基、
酸形態または塩化形態のカルボキシル基(好ましくは、アルカリ金属またはアンモニウムを有し、置換されているまたは置換されていない)、
シアノ基、
1〜6個の炭素原子および同一でも異なっていてもよい1〜6個のハロゲン原子を含有する、例えばトリフルオロメチルであるポリハロアルキル基
から選択される、炭素原子に結合している少なくとも1つの置換基で置換されていてもよく、
非芳香族基の環式部分または複素環式部分は、
ヒドロキシル、
C1〜C4アルコキシ、
C2〜C4(ポリ)ヒドロキシアルコキシ、
C1〜C2アルキルチオ基、
R'基が、水素原子または少なくとも1つのヒドロキシル基を場合により結合しているC1〜C4アルキル基であり、R基が、C1〜C2アルキル基または同一でも異なっていてもよく、少なくとも1つのヒドロキシル基を場合により結合している2つのC1〜C4アルキル基で置換されているアミノ基であるアルキルカルボニルアミノ(RCO-NR'-)(前記2つのC1〜C4アルキル基は、窒素と異なっていても同一であってもよい少なくとも1つのヘテロ原子を場合により含み5〜7員を含む、置換されていてもよい飽和または不飽和の複素環を、それらの基に結合している窒素原子と共に形成してもよい)、
R基が、C1〜C4アルキル基または1つもしくは同一でも異なっていてもよく、少なくとも1つのヒドロキシル基を場合により結合している2つのC1〜C4アルキル基で置換されているアミノ基であるアルキルカルボニルオキシ(RCO-O-)(前記2つのC1〜C4アルキル基は、窒素と異なっていても同一であってもよい少なくとも1つの他のヘテロ原子を場合により含み5〜7員を含む、置換されていてもよい飽和または不飽和の複素環を、それらの基に結合している窒素原子と共に形成してもよい)、
R基が、C1〜C4アルキル基または同一でも異なっていてもよく、少なくとも1つのヒドロキシル基を場合により結合している2つのC1〜C4アルキル基で置換されているアミノであるアルコキシカルボニル(RO-CO-)(前記2つのC1〜C4アルキル基は、窒素と異なっていても同一であってもよい少なくとも1つの他のヘテロ原子を場合により含み5〜7員を含む、置換されていてもよい飽和または不飽和の複素環を、それらの基に結合している窒素原子と共に形成してもよい)
の各基から選択される、炭素原子に結合している少なくとも1つの置換基で置換されていてもよく、
アリールまたはヘテロアリール基の環式基もしくは複素環式基または非芳香族部分は、1つまたは複数のオキソ基またはチオキソ基でも置換されていてもよく、
「アリール」基は、6〜22個の炭素原子を含有する、縮合したまたは縮合していない単環式基または多環式基を表し、その少なくとも1つの環は芳香族であり、好ましくは、アリール基は、フェニル、ビフェニル、ナフチル、インデニル、アントラセニルまたはテトラヒドロナフチルであり、
「ジアリールアルキル」基は、ジフェニルメチルまたは1,1-ジフェニルエチルなどの、同一でも異なっていてもよい2つのアリール基をアルキル基の同じ炭素原子上に含む基を表し、
「ヘテロアリール基」は、窒素原子、酸素原子、硫黄原子およびセレン原子から選択される1〜6個のヘテロ原子を含み5〜22員を含む、場合によりカチオン性で縮合したまたは縮合していない単環式基または多環式基を表し、その少なくとも1つの環は芳香族であり、好ましくは、ヘテロアリール基は、アクリジニル、ベンズイミダゾリル、ベンゾビストリアゾリル、ベンゾピラゾリル、ベンゾピリダジニル、ベンゾキノリル、ベンゾチアゾリル、ベンゾトリアゾリル、ベンゾオキサゾリル、ピリジニル、テトラゾリル、ジヒドロチアゾリル、イミダゾピリジニル、イミダゾリル、インドリル、イソキノリル、ナフトイミダゾリル、ナフトオキサゾリル、ナフトピラゾリル、オキサジアゾリル、オキサゾリル、オキサゾロピリジル、フェナジニル、フェノオキサゾリル、ピラジニル、ピラゾリル、ピリリル、ピラゾイルトリアジル、ピリジル、ピリジノイミダゾリル、ピロリル、キノリル、テトラゾリル、チアジアゾリル、チアゾリル、チアゾロピリジニル、チアゾイルイミダゾリル、チオピリリル、トリアゾリル、キサンチリルおよびそのアンモニウム塩から選択され、
「ジヘテロアリールアルキル」基は、ジフリルメチル、1,1-ジフリルエチル、ジピロリルメチルまたはジチエニルメチルなどの、同一でも異なっていてもよい2つのヘテロアリール基をアルキル基の同じ炭素原子上に含む基を表し、
「環式基」は、1つまたは複数の不飽和を含んでもよい、5〜22個の炭素原子を含有する縮合したまたは縮合していない単環式または多環式の非芳香族シクロアルキル基であり、特にその環式基はシクロヘキシルであり、
「立体障害環式」基は、立体効果または立体障害により妨害され6〜14員を含み、架橋されてもよい、置換されているまたは置換されていない芳香族環式基または非芳香族環式基であり、立体障害基としては、ビシクロ[1.1.0]ブタン、1,3,5-トリメチルフェニルなどのメシチル、1,3,5-トリ-tert-ブチルフェニル、1,3,5-イソブチルフェニル、1,3,5-トリメチルシリルフェニルおよびアダマンチルを挙げることができ、
「複素環式基」は、窒素、酸素、硫黄およびセレンから選択される1〜6個のヘテロ原子を含む、5〜22員を含有する縮合したまたは縮合していない単環式または多環式の非芳香族基であり、
「アルキル基」は、直鎖状または分枝状のC1〜C16、好ましくはC1〜C8の炭化水素を主体とする基であり、
アルキル基に割り当てられる表現「置換されていてもよい」は、前記アルキル基が、i)ヒドロキシル、ii)C1〜C4アルコキシ、iii)アシルアミノ、iv)1つもしくは同一でも異なっていてもよい2つのC1〜C4アルキル基で置換されていてもよいアミノ(前記C1〜C4アルキル基は、窒素と異なっても同一であってもよい別のヘテロ原子を場合により含み5〜7員を含む複素環を、それらの基を結合している窒素原子と共に形成してもよい)、v)または、R'、R"、R"'が、同一でも異なっていてもよく、水素原子もしくはC1〜C4アルキル基を表し、そうでなければ-N+R'R"R"'が、C1〜C4アルキル基で置換されていてもよいイミダゾリウムなどのヘテロアリールを形成し、M-が、相当する有機酸、鉱酸もしくはハロゲン化物の対イオンを表す第4級アンモニウム基-N+R'R"R"',M-の基から選択される1つまたは複数の基で置換されていてもよいことを示し、
「アルキレン鎖」は、1つまたは同一でも異なっていてもよい複数のハロゲン原子または基[この基は、ヒドロキシル、アルコキシ、(ジ)(C1〜C4)(アルキル)アミノ、ZaおよびZbが、同一でも異なっていてもよく、酸素原子もしくは硫黄原子を表し、Raが、アルカリ金属、水素原子もしくはアルキル基を表すRa-Za-C(Zb)-、またはRa'が水素原子もしくはアルキル基を表すNRa'基から選択される]で置換されていてもよいC1〜C18の二価の鎖、特にその鎖が直鎖であるC1〜C6、より詳細にはC1〜C2を表し、
「アルコキシ基」は、そのアルキル基が、直鎖状または分枝状の、C1〜C16、好ましくはC1〜C8の炭化水素を主体とする基であるアルキルオキシまたはアルキル-O-基であり、
「アルキルチオ基」は、そのアルキル基が、直鎖状または分枝状の、C1〜C16、好ましくはC1〜C8の炭化水素を主体とする基であるアルキル-S-基であり、アルキルチオ基が置換されていてもよい場合、このことは、そのアルキル基が、上記で定義したように置換されていてもよいことを示し、
数値範囲の程度を定める境界値は、この数値範囲に含まれ、
「有機酸塩または鉱酸塩」は、より詳細には、i)塩酸HCl、ii)臭化水素酸HBr、iii)硫酸H2SO4、iv)メチルスルホン酸、エチルスルホン酸などのアルキルスルホン酸Alk-S(O)2OH、v)ベンゼンスルホン酸、トルエンスルホン酸などのアリールスルホン酸Ar-S(O)2OH、vi)クエン酸、vii)コハク酸、viii)酒石酸、ix)乳酸、x)メトキシスルフィン酸、エトキシスルフィン酸などのアルコキシスルフィン酸Alk-O-S(O)OH、xi)トルエンオキシスルフィン酸、フェノキシスルフィン酸などのアリールオキシスルフィン酸、xii)リン酸H3PO4、xiii)酢酸CH3COOH、xiv)トリフルオロメタンスルホン酸CF3SO3H、およびxv)テトラフルオロホウ酸HBF4から誘導される塩から選択され、
「アニオン性対イオン」は、染料のカチオン電荷と結合するアニオンまたはアニオン性基であり、より詳細には、アニオン性対イオンは、i)塩化物または臭化物などのハロゲン化物、ii)硝酸塩、iii)スルホン酸メチルまたはメシル酸塩、スルホン酸エチルなどのC1〜C6スルホン酸アルキルAlk-S(O)2O-を含めたスルホン酸塩、iv)ベンゼンスルホン酸塩、トルエンスルホン酸塩またはトシル酸塩などのスルホン酸アリールAr-S(O)2O-、v)クエン酸塩、vi)コハク酸塩、vii)酒石酸塩、viii)乳酸塩、ix)硫酸メチル、硫酸エチルなどの硫酸アルキルAlk-O-S(O)O-、x)硫酸ベンゼン、硫酸トルエンなどの硫酸アリールAr-O-S(O)O-、xi)メトキシ硫酸塩、エトキシ硫酸塩などのアルコキシ硫酸塩Alk-O-S(O)2O-、xii)アリールオキシ硫酸塩Ar-O-S(O)2O-、xiii)リン酸塩、xiv)酢酸塩、xv)トリフルオロメタンスルホン酸塩、およびxvi)テトラフルオロホウ酸塩などのホウ酸塩から選択される。
【００２９】
式(I)、(II)または(III)の、複素環式基を含む蛍光染料は、250〜800nmの波長λabsのUV放射線領域内または可視光領域内で吸収可能であり、400〜800nmの放射波長λemの可視光領域内で再放射可能である化合物である。
【００３０】
本発明の、複素環式基を含む蛍光化合物は、400〜800nmの可視光領域λabs内で吸収可能であり、400〜800nmの可視光領域λem内で再放射可能である染料であることが好ましい。式(I)、(II)または(III)の蛍光染料は、420nm〜550nmのλabsで吸収可能であり、470〜600nmのλemでの可視光領域内で再放射可能である染料であることがより好ましい。
【００３１】
本発明の具体的な実施形態は、mが0である式(I)、(II)または(III)の、複素環式基を含む蛍光染料に関する。
【００３２】
本発明の具体的な実施形態によれば、本発明の蛍光染料の式
【化３】
2009533488.tif 000004
の複素環は、カチオン性または非カチオン性の置換されていてもよい複素環式基
【化４】
2009533488.tif 000005
を表し、特にこの複素環は、単環式かつ飽和であり、全体で2個の窒素原子を含み、5〜8員として形成される。
【００３３】
特に、この複素環は、(C1〜C4)アルキル基で置換されていてもよい、ピペラジニル、ホモピペラジニル、ヘキサヒドロ-1,4-ジアゼピニル、およびピペラジニウム、ホモピペラジニウムまたはヘキサヒドロ-1,4-ジアゼピニウムから選択される。
【００３４】
別の実施形態によれば、式(I)、(II)または(III)の、複素環式基を含むチオール蛍光染料の複素環
【化５】
2009533488.tif 000006
は、全体で1個の窒素原子を含み5〜7員として形成される単環式飽和複素環式基を表す。
【００３５】
特に、この複素環式基は、ピロリジニル、ピペリジルおよびアゼパニルから選択される。
【００３６】
本発明の式(III)の蛍光化合物は、Yの性質および媒体のpHに応じて共有結合形態-S-Yまたはイオン形態-S-Y+となり得るSY官能基を含有する。
【００３７】
具体的な実施形態は、Yが水素原子またはアルカリ金属を表すSY官能基を含む式(III)の、複素環式基を含むチオール蛍光染料に関する。Yは、水素原子を表すことが有利である。
【００３８】
本発明の別の具体的な実施形態によれば、上述の式(III)では、Yは、当業者に知られる保護基であり、例えば、「Protective Groups in Organic Synthesis」、T.W.Greene、John Willey & Sons publisher、NY、1981、193〜217頁、「Protecting Groups」、P.Kocienski、Thieme、第3版、2005、5章の書籍に記載されている保護基である。
【００３９】
Yがチオール官能基保護基を表す場合は特に、Yは、以下の基:
(C1〜C4)アルキルカルボニル、
(C1〜C4)アルキルチオカルボニル、
(C1〜C4)アルコキシカルボニル、
(C1〜C4)アルコキシチオカルボニル、
(C1〜C4)アルキルチオチオカルボニル、
(ジ)(C1〜C4)(アルキル)アミノカルボニル、
(ジ)(C1〜C4)(アルキル)アミノチオカルボニル、
フェニルカルボニルなどのアリールカルボニル、
アリールオキシカルボニル、
アリール(C1〜C4)アルコキシカルボニル、
ジメチルアミノカルボニルなどの(ジ)(C1〜C4)(アルキル)アミノカルボニル、
(C1〜C4)(アルキル)アリールアミノカルボニル、
カルボキシル、
M+がナトリウムまたはカリウムなどのアルカリ金属を表すSO3-;M+(そうでなければ式(III)のM'およびM+が存在しない)、
フェニル、ジベンゾスベリルまたは1,3,5-シクロヘプタトリエニルなどの置換されていてもよいアリール、
以下の、1〜4個のヘテロ原子を含むカチオン性または非カチオン性ヘテロアリールを特に含めた、置換されていてもよいヘテロアリール:
i)フラニルもしくはフリル、ピロリルもしくはピリル、チオフェニルもしくはチエニル、ピラゾリル、オキサゾリル、オキサゾリウム、イソオキサゾリル、イソオキサゾリウム、チアゾリル、チアゾリウム、イソチアゾリル、イソチアゾリウム、1,2,4-トリアゾリル、1,2,4-トリアゾリウム、1,2,3-トリアゾリル、1,2,3-トリアゾリウム、1,2,4-オキサゾリル、1,2,4-オキサゾリウム、1,2,4-チアジアゾリル、1,2,4-チアジアゾリウム、ピリリウム、チオピリジル、ピリジニウム、ピリミジニル、ピリミジニウム、ピラジニル、ピラジニウム、ピリダジニル、ピリダジニウム、トリアジニル、トリアジニウム、テトラジニル、テトラジニウム、アゼピン、アゼピニウム、オキサゼピニル、オキサゼピニウム、チエピニル、チエピニウム、イミダゾリル、イミダゾリウムなどの5、6もしくは7員を含む単環式、
ii)インドリル、インドリニウム、ベンゾイミダゾリル、ベンゾイミダゾリウム、ベンゾオキサゾリル、ベンゾオキサゾリウム、ジヒドロベンゾオキサゾリニル、ベンゾチアゾリル、ベンゾチアゾリウム、ピリドイミダゾリル、ピリドイミダゾリウム、チエノシクロヘプタジエニルなどの8〜11員を含む二環式(これらの単環式基もしくは二環式基は、(C1〜C4)アルキル、例えばメチル、もしくはポリハロ(C1〜C4)アルキル、例えばトリフルオロメチルなどの1つまたは複数の基で置換されていてもよい)、
iii)または、以下の三環式ABC
【化６】
2009533488.tif 000007
(式中、2つの環A、Cは、ヘテロ原子を場合により含み、環Bは、5、6もしくは7員、特に6員の環であり、少なくとも1つのヘテロ原子を含有し、例えばピペリジルもしくはピラニルである)、
場合によりカチオン性の置換されていてもよい複素環式アルキルであって、その基が、ジ/テトラヒドロフラニル、ジ/テトラヒドロチオフェニル、ジ/テトラヒドロピロリル、ジ/テトラヒドロピラニル、ジ/テトラ/ヘキサヒドロチオピラニル、ジヒドロピリジル、ピペラジニル、ピペリジニル、テトラメチルピペリジニル、モルホリニル、ジ/テトラ/ヘキサヒドロアゼピニルもしくはジ/テトラヒドロピリミジニルなどの、酸素、硫黄および窒素から選択される1〜4個のヘテロ原子を含む、特に飽和もしくは部分飽和の5、6もしくは7員単環式基を表す複素環式アルキル(これらの基は、(C1〜C4)アルキル、オキソもしくはチオキソなどの1つもしくは複数の基で置換されていてもよい)か、またはその複素環が、以下の基:
【化７】
2009533488.tif 000008
(式中、R'c、R'd、R'e、R'f、R'gおよびR'hは、同一でも異なっていてもよく、水素原子もしくは(C1〜C4)アルキル基を表し、そうでなければ2つの基R'gおよびR'hかつ/もしくはR'eおよびR'fはオキソもしくはチオキソ基を形成し、そうでなければR'gおよびR'eは、一緒になってシクロアルキルを形成し、vは、1〜3の両端を含めた整数を表し、好ましくはR'c〜R'hは水素原子を表し、An-は対イオンを表す)
を表す複素環式アルキル、
R'c、R'd、R'eおよびR'fが、同一でも異なっていてもよく、水素原子または(C1〜C4)アルキル基を表し、好ましくはR'c〜R'fが水素原子を表し、An-が対イオンを表すイソチオウロニウム-C(NR'cR'd)=N+R'eR'f;An-、
R'c、R'dおよびR'eが上記で定義した通りであるイソチオ尿素-C(NR'cR'd)=NR'e、
(C1〜C4)アルキル、メトキシなどの(C1〜C4)アルコキシ、ヒドロキシル、(C1〜C4)アルキルカルボニルおよびジメチルアミノなどの(ジ)(C1〜C4)(アルキル)アミノから特に選択される1つまたは複数の基で置換されていてもよい、9-アントラセニルメチル、フェニルメチルまたはジフェニルメチルなどの置換されていてもよい(ジ)アリール(C1〜C4)アルキル、
置換されていてもよい(ジ)ヘテロアリール(C1〜C4)アルキルであって、そのヘテロアリール基が、アルキル、特にメチルなどの1つまたは複数の基で置換されていてもよい、ピロリル、フラニル、チオフェニル、ピリジル、4-ピリジルN-オキシドもしくは2-ピリジルN-オキシドなどのピリジルN-オキシド、ピリリウム、ピリジニウムまたはトリアジニルの各基などの、窒素、酸素および硫黄から選択される1〜4個のヘテロ原子を含み5または6員を含む、特にカチオン性または非カチオン性の単環式である(ジ)ヘテロアリール(C1〜C4)アルキル(この(ジ)ヘテロアリール(C1〜C4)アルキルは、(ジ)ヘテロアリールメチルまたは(ジ)ヘテロアリールエチルであることが有利である)、
R1、R2およびR3が、同一でも異なっていてもよく、ハロゲン原子または
(C1〜C4)アルキル、
(C1〜C4)アルコキシ、
(C1〜C4)アルキル、(C1〜C4)アルコキシもしくはヒドロキシルなどの1つもしくは複数の基で置換されていてもよい、フェニルなどの置換されていてもよいアリール、
(C1〜C4)アルキル基で置換されていてもよい、チオフェニル、フラニル、ピロリル、ピラニルもしくはピリジルなどの置換されていてもよいヘテロアリール、
R'1およびR'2が、同一でも異なっていてもよく、ヒドロキシル、(C1〜C4)アルコキシもしくはアルキル基を表し、R'3がヒドロキシル基もしくは(C1〜C4)アルコキシ基を表し、Z1が酸素原子もしくは硫黄原子を表すP(Z1)R'1R'2R'3
から選択される基を表すCR1R2R3、
アダマンチル基などの立体障害環式基、ならびに
メトキシメチル(MOM)、エトキシエチル(EOM)またはイソブトキシメチルなどの置換されていてもよいアルコキシ(C1〜C4)アルキル
から選択される。
【００４０】
具体的な実施形態によれば、式(III)の、複素環式基を含む保護チオール蛍光染料は、i)オキサゾリウム、イソオキサゾリウム、チアゾリウム、イソチアゾリウム、1,2,4-トリアゾリウム、1,2,3-トリアゾリウム、1,2,4-オキサゾリウム、1,2,4-チアジアゾリウム、ピリリウム、ピリジニウム、ピリミジニウム、ピラジニル、ピラジニウム、ピリダジニウム、トリアジニウム、テトラジニウム、オキサゼピニウム、チエピニル、チエピニウムもしくはイミダゾリウムなどの、酸素、硫黄および窒素から選択される1〜4個のヘテロ原子を含むカチオン性の5もしくは6員単環式芳香族ヘテロアリール基、ii)インドリニウム、ベンゾイミダゾリウム、ベンゾオキサゾリウムもしくはベンゾチアゾリウムなどのカチオン性8〜11員二環式ヘテロアリール基(これらの単環式もしくは二環式ヘテロアリール基は、アルキル、例えばメチルもしくはポリハロ(C1〜C4)アルキル、例えばトリフルオロメチルなどの1つもしくは複数の基で置換されていてもよい)、iii)または以下の複素環式基
【化８】
2009533488.tif 000009
(式中、R'cおよびR'dは、同一でも異なっていてもよく、水素原子もしくは(C1〜C4)アルキル基を表し、好ましくはR'c〜R'dはメチルなどの(C1〜C4)アルキル基を表し、An-は対イオンを表す)
である基Yを含む。
【００４１】
特に、Yは、オキサゾリウム、イソオキサゾリウム、チアゾリウム、イソチアゾリウム、1,2,4-トリアゾリウム、1,2,3-トリアゾリウム、1,2,4-オキサゾリウム、1,2,4-チアジアゾリウム、ピリリウム、ピリジニウム、ピリミジニウム、ピラジニウム、ピリダジニウム、トリアジニウム、イミダゾリウム、ベンゾイミダゾリウム、ベンゾオキサゾリウムおよびベンゾチアゾリウムから選択される基を表し、これらの基は、1つまたは複数の(C1〜C4)アルキル基、特にメチルで置換されていてもよい。
【００４２】
特に、式(III)の蛍光染料は、アルカリ金属または
メチルカルボニルもしくはエチルカルボニルなどの(C1〜C4)アルキルカルボニル、
フェニルカルボニルなどのアリールカルボニル、
(C1〜C4)アルコキシカルボニル、
アリールオキシカルボニル、
アリール(C1〜C4)アルコキシカルボニル、
ジメチルアミノカルボニルなどの(ジ)(C1〜C4)(アルキル)アミノカルボニル、
(C1〜C4)(アルキル)アリールアミノカルボニル、
置換されていてもよい、フェニルなどのアリール、
イミダゾリルもしくはピリジルなどの5もしくは6員単環式ヘテロアリール、
ピリリウム、ピリジニウム、ピリミジニウム、ピラジニウム、ピリダジニウム、トリアジニウムもしくはイミダゾリウムなどのカチオン性の5もしくは6員単環式ヘテロアリール(これらの基は、1つもしくは複数の、同一もしくは異なる、メチルなどの(C1〜C4)アルキル基で置換されていてもよい)、
ベンゾイミダゾリウムもしくはベンゾオキサゾリウムなどのカチオン性8〜11員二環式ヘテロアリール(これらの基は、1つもしくは複数の、同一もしくは異なる、メチルなどの(C1〜C4)アルキル基で置換されていてもよい)、
以下の式
【化９】
2009533488.tif 000010
のカチオン性複素環、
イソチオウロニウム-C(NH2)=N+H2;An-、
イソチオ尿素-C(NH2)=NH、
M+がナトリウムもしくはカリウムなどのアルカリ金属を表すSO3-,M+(そうでなければ式(III)のM'およびM+が存在しない)
などの保護基を表す基Yを含む。
【００４３】
本発明の具体的な実施形態によれば、本発明の染料は、そのピリジニウム部分とそのフェニルとをオルトまたはパラ位で、即ち4-4'、2-2'、4-2'または2-4'位で連結しているエチレン基を有する式(I)、(II)または(III)に属する。
【００４４】
本発明の別の具体的な実施形態は式(I)の対称ジスルフィド蛍光染料に関し、即ち、Ra、Rg、R'g、Rh、R'h、Ri、R'i、R1、R2、R3、R4、Ta、mおよびnは、それぞれ、R'a、R"g、R"'g、R"h、R"'h、R"i、R"'i、R'1、R'2、R'3、R'4、Tb、m'およびn'と同一である。
【００４５】
本発明の蛍光染料の例としては、以下の化合物
【表１Ａ】
2009533488.tif 000011
【表１Ｂ】
2009533488.tif 000012
【表１Ｃ】
2009533488.tif 000013
【表１Ｄ】
2009533488.tif 000014
【表１Ｅ】
2009533488.tif 000015
【表１Ｆ】
2009533488.tif 000016
【表１Ｇ】
2009533488.tif 000017
【表１Ｈ】
2009533488.tif 000018
(M'およびAn-は、同一でも異なっていてもよく、アニオン性対イオンを表し、M+はアルカリ金属を表す)
を特に挙げることができる。
【００４６】
式(III")の保護チオール染料は、2段階で合成することができる。第1段階は、当業者に知られる方法、例えば「Thiols and organic Sulfides」、「Thiocyanates and Isothiocyanates,organic」、Ullmann's Encyclopaedia、Wiley-VCH、Weinheim、2005に従って非保護チオール染料(III')を調製する段階からなる。さらに、第2段階は、式(III")の保護チオール染料を作製するための、当業者に知られる従来の方法に従ってチオール官能基を保護する段階からなる。チオール染料のチオール官能基-SHを保護する例としては、「Protective Groups in Organic Synthesis」、T.W.Greene、John Willey & Sons ed.、NY、1981、193〜217頁、「Protecting Groups」、P.Kocienski、Thieme、第3版、2005、5章の書籍の方法を使用してもよい。
【００４７】
この方法は、i)(I')などの、ジスルフィド官能基-S-S-を有する複素環式2色発色団蛍光染料の還元により式(III')の複素環式チオール蛍光染料を生成する段階、ii)式(III')の前記チオール官能基を従来の方法に従って保護することにより式(III")の保護チオール蛍光染料を得る段階からなる方法によって例示できる:
【化１０】
2009533488.tif 000019
(R1、R2、R3、R4、Ra、Rg、R'g、Rh、R'h、Ri、R'i、m、n、HetおよびM'は上記で定義した通りであり、Y'はチオール官能基保護基を表し、Y'RのRは、ヌクレオヒュージ(nucleofuge)脱離基、例えばメシル酸塩、トシル酸塩、トリフルオロメタンスルホン酸塩またはハロゲン化物を表す)。
【００４８】
別の可能性によれば、上述の書籍に記載されている手順の1つに従って調製される、上記で定義した保護基Y'により保護された、少なくとも1つの求核官能基を含むチオール化合物(b)は、十分な量の、好ましくは等モル量の「反応性蛍光発色団」またはそのような「反応性蛍光発色団」を含む化合物(a)と反応し得る。言い換えれば(a)は、以下で概略的に示されるように、Σ共有結合を形成するように求電子官能基を含む:
【化１１】
2009533488.tif 000020
(R1、R2、R3、R4、Ra、Rg、R'g、Rh、R'h、Ri、R'i、m、n、Het、Y'およびM'は上記で定義した通りであり、Nuは求核基を表し、Eは求電子基を表し、Σは、求電子試薬上での求核試薬による攻撃の後に生成する結合である)。
【００４９】
例として、求電子試薬と求核試薬との縮合に基づいて生成し得るΣ共有結合を以下の表に挙げる。
【表２】
2009533488.tif 000021
この方法の変法は、求電子アクリル酸塩官能基(-OCO-C=C-)を有する蛍光発色団を使用することにより、Σ結合を生成することになる該官能基上での付加反応を行うことである。
【００５０】
上記で定義したY'基を含むチオール反応物Y'-SHも使用してもよく、その求核SH官能基は、蛍光発色団(a')が持つハロゲン原子に対し、α位の炭素原子と反応することにより、式(III")の保護チオール蛍光染料を与えることができる;
【化１２】
2009533488.tif 000022
(R1、R2、R3、R4、Ra、Rg、R'g、Rh、R'h、Ta、Ri、R'i、m、n、Het、Y'、(III")およびM'は上記で定義した通りであり、Halは、臭素、ヨウ素または塩素などのヌクレオヒュージハロゲン原子を表す)。
【００５１】
より詳細には、ヌクレオヒュージ脱離基は、イソチオウロニウムが生成するようにチオ尿素基(S=C(NRR)NRR)で置換されていてもよい。例えば、チオ尿素基がチオイミダゾリウム(β)である場合、反応スキームは、以下となる:
【化１３】
2009533488.tif 000023
(Ra、R'c、R'd、Rg、R'g、Rh、R'h、Ri、R'i、m、n、Het、Hal、An-およびM'は上記で定義した通りである)。
【００５２】
ある変法は、蛍光発色団(a')を含むハロゲン化物の代わりに、トシル酸塩またはメシル酸塩などの別の種類のヌクレオヒュージを含む発色団を使用することである。
【００５３】
別の可能性によれば、ある種の複素環式保護チオール蛍光染料(III"')は、従来の方法に従って、保護チオール化合物と活性化されている2つのカルボン酸官能基を有する化合物とを反応させること(例えばカルボジイミドまたは塩化チオニルとの反応)によって得ることができる。次いで、生じた生成物(d)を、求核官能基、例えば第1級アミンもしくは第2級アミン種のものまたは脂肪族もしくはフェノールなどの芳香族アルコール種のものを有する複素環式蛍光発色団(c)と反応させる;
【化１４】
2009533488.tif 000024
(R1、R2、R3、R4、Ra、Rg、R'g、Rh、R'h、Ri、R'i、Het、Ta、Y'、m、n、M'、E、Nuおよび(III"')は上記で定義した通りである)。
【００５４】
別の可能性によれば、式(III""')の複素環式保護チオール蛍光染料は、基Y'により保護されているチオール基およびヌクレオヒュージ脱離基、例えばメシル酸塩、トシル酸塩、トリフルオロメタンスルホン酸塩またはハロゲン化物に予め活性化されているヒドロキシル基を含む化合物(d')とHetの複素環式部分上にアミノ求核官能基を有する蛍光発色団(c')との反応によって得ることができる;
【化１５】
2009533488.tif 000025
(R1、R2、R3、R4、Ra、Rg、R'g、Rh、R'h、Ri、R'i、Het、Ta、Y'、n、M'、ΣおよびEは上記で定義した通りである)。
【００５５】
例として、保護チオール基を含有する化合物は、スチリル蛍光発色団が持つアミンから求核攻撃され得るヌクレオヒュージ脱離基R、例えばメシル酸塩、トシル酸塩またはトリフルオロメタンスルホン酸塩を含有する。
【化１６】
2009533488.tif 000026
【００５６】
別の代替方法は、第1級アミン官能基、例えば、スチリル蛍光発色団が持つ第1級アミン官能基で置換されていてもよい、チオール化合物上のヌクレオヒュージ脱離基としてハロゲン化物を使用することが基になる。
【化１７】
2009533488.tif 000027
【００５７】
別の可能性によれば、本発明による式(III)の保護チオール蛍光染料は、上記で定義したチオール基Yおよび求電子基を含む化合物(f)と求核基を含むピリジニウム化合物との反応によって得てもよい。例としては、Gが酸素原子を表す場合のアルデヒドまたはケトンは、エチレン結合>C=C<を生成するようにアルキルピリジニウムなどの「活性化メチレン」(e)と縮合し得る。この反応は、「クネーフェナーゲル(Knoevenagel)」縮合として一般に知られている。用語「活性化メチレン」は、例えば特許DE19951134に挙げられているものを意味することが意図され、特に、1,2-ジアルキルピリジニウム、特に1,2-ジメチルピリジニウムが挙げられ得る;
【化１８】
2009533488.tif 000028
(R1、R2、R3、R4、Ra、Rg、R'g、Rh、R'h、Ri、R'i、Het、Ta、m、n、Y、およびM'は上記で定義した通りであり、Gは、酸素もしくは硫黄原子またはRが水素原子もしくは(C1〜C4)アルキル基を表す基N(R)を表す)。
【００５８】
この方法の変法は、i)求核アミノ基を含む複素環Hetを含むアルデヒドまたはケトン(g)とアルキルピリジニウムなどの「活性化メチレン」(e)との「クネーフェナーゲル」縮合を行うことにより、複素環式スチリル中間生成物(h)を与えることである。次いで、後者は、ii)少なくとも1つのチオラクタム官能基を含有する環式モノマー上で反応することにより、開環後に複素環式チオール蛍光染料(IIIa""")を与えることができる:
【化１９】
2009533488.tif 000029
(R1、R2、R3、R4、Ra、Rg、R'g、Rh、R'h、Ri、R'i、Het、nおよびM'は上記で定義した通りであり、GおよびG'は、同一でも異なっていてもよく、酸素もしくは硫黄原子またはRが水素原子もしくは(C1〜C4)アルキル基を表すN(R)基を表す)。
【００５９】
あるいは、反応物(g')が、環外アミノ基を含むHet基を含む場合、アミド基、チオアミド基、グアニジン基またはアミジン基を含む蛍光染料が得られる:
【化２０】
2009533488.tif 000030
(R1、R2、R3、R4、Ra、Rg、R'g、Rh、R'h、Ri、R'i、Het、n、M'、GおよびG'は、上記で定義した通りであり、Rは水素原子またはアルキル基を表す)。反応物(g')の複素環のアミンが保護され、次いで脱保護され得ることが理解される。
【００６０】
上述の方法に使用される操作条件に関してさらに詳細には、Advanced Organic Chemistry、J.March、第4版、John Willey & Sons、1992またはT.W.Greene「Protective Groups in Organic Synthesis」の書籍を参照してもよい。
【００６１】
形成されるチオール蛍光染料は、従来の保護基を使用して-SHチオールを保護することにより-SY'保護チオール蛍光染料に転換してもよい。
【００６２】
保護チオール染料は、従来の経路によって脱保護してもよい。
【００６３】
式(I)のジスルフィド染料は、2段階で合成してもよい。第1段階は、上記方法に従って非保護チオール染料(III)を調製する段階からなる。さらに、第2段階は、非保護チオール染料(III)を酸化することにより、式(I')の対称ジスルフィド染料を形成する段階からなる。チオールからジスルフィドへの酸化は、当業者に知られる従来の方法、例えば過酸化水素を使用する方法に従って行われる。
【化２１】
2009533488.tif 000031
【００６４】
別の可能性によれば、上述の著作物に記載の手順の1つに従って、2個の求核官能基を含む1当量のジスルフィド化合物(b")と、少なくとも2当量などの十分な量の「反応性蛍光発色団」またはそのような「反応性蛍光発色団」を含む化合物(a)とを反応させることができる。言い換えれば、以下で概略的に示されるように、(a)は、式(I")のジスルフィド染料を与えるようにΣ共有結合を形成するために求電子官能基を含む:
【化２２】
2009533488.tif 000032
(R1、R2、R3、R4、Ra、Rg、R'g、Rh、R'h、Ri、R'i、m、n、HetおよびM'は上記で定義した通りであり、Nuは求核基を表し、Eは求電子基を表し、Σは、求電子試薬上での求核試薬による攻撃の後に生成する結合である)。例として、生成し得るΣ共有結合は、求電子試薬と求核試薬との縮合に基づいて上記表中に挙げられている。
【００６５】
別の可能性によれば、ある種のジスルフィド蛍光染料(I")は、ジスルフィド染料(I")を与えるように、求核部分を含む少なくとも2当量の「反応性蛍光発色団」(c)と1当量の求二電子性(dielectrophilic)ジスルフィド化合物(d")とを反応させることによって得ることができる:
【化２３】
2009533488.tif 000033
(R1、R2、R3、R4、Ra、Rg、R'g、Rh、R'h、Ri、R'i、Het、m、n、M'、E、Nuおよび(I")は上記で定義した通りである)。
【００６６】
別の可能性によれば、式(I"')の複素環式ジスルフィド蛍光染料は、ジスルフィド基と、例えばメシル酸塩、トシル酸塩、トリフルオロメタンスルホン酸塩またはハロゲン化物を使用して、ヌクレオヒュージ脱離基Lgに予め活性化されているヒドロキシル基とを含む化合物(d")と、Hetの複素環式部分上にアミノ求核官能基を有する蛍光発色団(c')とを反応させることによって得ることができる:
【化２４】
2009533488.tif 000034
(R1、R2、R3、R4、Ra、Rg、R'g、Rh、R'h、Ri、R'i、Het、n、M'およびLgは上記で定義した通りである)。
【００６７】
例として、ジスルフィド基を含有する化合物は、ヌクレオヒュージ脱離基R、例えばメシル酸塩、トシル酸塩またはトリフルオロメタンスルホン酸塩を含有し、該脱離基Rが、スチリル蛍光発色団が持つアミンから求核攻撃されることにより特定のジスルフィド染料(I"'a)を与えることができる:
【化２５】
2009533488.tif 000035
【００６８】
別の代替方法は、第2級アミン官能基、例えば、スチリル蛍光発色団が持つ第2級アミン官能基で置換されていてもよい、ジスルフィド化合物上のヌクレオヒュージ脱離基としてハロゲン化物を使用することが基になる。
【化２６】
2009533488.tif 000036
【００６９】
別の可能性によれば、本発明によるジスルフィド蛍光染料(I)は、上記で定義したジスルフィド基および求電子基を含む化合物(f")と求核基を含む化合物とを反応させることによって得ることができる。例として、Gが酸素原子を表す場合のアルデヒドまたはケトンは、アルキルピリジニウム(e)などの「活性化メチレン」と縮合することによりエチレン結合>C=C<を生成し得る。この反応は、一般に「クネーフェナーゲル」縮合と称される。用語「活性化メチレン」は、例えば、特許DE19951134に挙げられているものを示すことが意図され、特に、1,2-ジアルキルピリジニウム、特に1,2-ジメチルピリジニウムを挙げることができる:
【化２７】
2009533488.tif 000037
(R1、R2、R3、R4、Ra、Rg、R'g、Rh、R'h、Ri、R'i、Het、Ta、m、n、(I')およびM'は上記で定義した通りであり、Gは、酸素もしくは硫黄原子またはRが水素原子もしくは(C1〜C4)アルキル基を表すN(R)基を表す)。
【００７０】
上述の方法に使用される操作条件に関してさらに詳細には、Advanced Organic Chemistry、J.March、第4版、John Willey & Sons、1992またはT.W.Greene「Protective Groups in Organic Synthesis」の書籍を参照してもよい。
【００７１】
式(I)の非対称ジスルフィド染料は、式(I)のジスルフィド染料を形成するように、非保護チオール蛍光染料とY'により保護されているチオール蛍光染料とを反応させることによって一段階で合成できる:
【化２８】
2009533488.tif 000038
(Ra、R'a、Rg、R'g、R"g、R"'g、Rh、R'h、R"h、R"'h、Ri、R'i、R"i、R"'i、m、m'、n、n'、Ta、Tb、Het、Het'、(I)およびM'は上記で定義した通りであり、Y'はチオール官能基保護基を表す)。
【００７２】
式(II)の非対称ジスルフィド染料は、式(II)のジスルフィド染料を形成するように、保護チオール蛍光染料と非保護チオール化合物とを反応させることによって一段階で合成できる:
【化２９】
2009533488.tif 000039
(Ra、R'a、Rg、R'g、R"g、R"'g、Rh、R'h、R"h、R"'h、Ri、R'i、R"i、R"'i、R'c、m、m'、n、n'、Ta、Tb、Het、Het'、(II)およびM'は上記で定義した通りであり、Y'はチオール官能基保護基を表す)。
【００７３】
本発明の組成物は、式(I)、(II)または(III)の複素環式蛍光染料を少なくとも1つ含有する。式(I)、(II)または(III)の蛍光染料が少なくとも1つ存在する他に、本発明の組成物は、還元剤も含有してもよい。この還元剤は、チオール、例えばシステイン、ホモシステインまたはチオ乳酸、これらのチオールの塩、ホスフィン、亜硫酸水素塩、亜硫酸塩、チオグリコール酸、さらにそのエステルも、特にモノチオグリコール酸グリセロール、およびチオグリセロールから選択することができる。この還元剤は、ホウ化水素およびその誘導体、例えばホウ化水素の塩、シアノホウ化水素の塩、またはトリアセトキシホウ化水素もしくはトリメトキシホウ化水素の塩、ナトリウム塩、リチウム塩、カリウム塩、カルシウム塩、第4級アンモニウム(テトラメチルアンモニウム、テトラエチルアンモニウム、テトラ-n-ブチルアンモニウムまたはベンジルトリエチルアンモニウム)塩、カテコールボランからも選択することができる。
【００７４】
本発明に使用できる染料組成物は、一般に、式(I)、(II)または(III)の複素環式蛍光染料をその組成物の全重量に対して0.001%〜50%の量で含有する。この量は、その組成物の全重量に対して、好ましくは0.005重量%〜20重量%、さらにより好ましくは0.01重量%〜5重量%である。
【００７５】
この染料組成物は、追加の直接染料も含有してもよい。これらの直接染料は、例えば、中性、酸性またはカチオン性のニトロベンゼン直接染料、中性、酸性またはカチオン性のアゾ直接染料、テトラアザペンタメチン染料、中性、酸性またはカチオン性キノン、特にアントラキノン染料、アジン直接染料、トリアリールメタン直接染料、インドアミン(indoamine)直接染料および天然直接染料から選択される。
【００７６】
天然直接染料には、ローソン、ジュグロン、アリザリン、プルプリン、カルミン酸、ケルメス酸、プルプロガリン、プロトカテキュアルデヒド、インジゴ、イサチン、クルクミン、スピヌロシン(spinulosin)およびアピゲニニジンを挙げることができる。これらの天然染料、特に湿布剤またはヘナ主成分抽出物を含有する抽出物または煎じ汁も使用してもよい。
【００７７】
この染料組成物は、1つもしくは複数の酸化塩基および/またはケラチン繊維を染色するのに従来使用される1つもしくは複数のカップラーを含有してもよい。
【００７８】
酸化塩基には、パラ-フェニレンジアミン、ビスフェニルアルキレンジアミン、パラ-アミノフェノール、ビス-パラ-アミノフェノール、オルト-アミノフェノール、複素環式塩基、およびそれらの付加塩を挙げることができる。
【００７９】
これらのカップラーには、メタ-フェニレンジアミン、メタ-アミノフェノール、メタ-ジフェノール、ナフタレンのカップラー、複素環式カップラー、およびそれらの付加塩を特に挙げることができる。
【００８０】
カップラー(複数も)は、それぞれ、一般に、染料組成物の全重量の0.001重量%〜10重量%、好ましくは0.005%〜6%の量で存在する。
【００８１】
染料組成物中に存在する酸化塩基(複数も)は、それぞれ、一般に、染料組成物の全重量の0.001重量%〜10重量%、好ましくは0.005重量%〜6重量%の量で存在する。
【００８２】
一般に、本発明の背景で使用できる酸化塩基の付加塩およびカップラーの付加塩は、塩酸塩、臭化水素酸塩、硫酸塩、クエン酸塩、コハク酸塩、酒石酸塩、乳酸塩、トシル酸塩、ベンゼンスルホン酸塩、リン酸塩、および酢酸塩などの、酸を有する付加塩、ならびに、ナトリウムもしくはカリウムなどのアルカリ金属の水酸化物、アンモニア水、アミンまたはアルカノールアミンなどの、塩基を有する付加塩から特に選択される。
【００８３】
染料担体とも称される、染色に適する媒体は、一般に、水または水と少なくとも1つの有機溶媒との混合液で構成される化粧料用媒体である。有機溶媒としては、例えば、エタノールおよびイソプロパノールなどのC1〜C4低級アルカノール、2-ブトキシエタノール、プロピレングリコール、プロピレングリコールモノメチルエーテル、ジエチレングリコールモノエチルエーテルおよびジエチレングリコールモノメチルエーテルなどのポリオールおよびポリオールエーテルを挙げることができ、さらにベンジルアルコールまたはフェノキシエタノールなどの芳香族アルコールも、ならびにそれらの混合液を挙げることができる。
【００８４】
この溶媒は、存在する場合、染料組成物の全重量に対して、好ましくは約1重量%〜約40重量%、さらにより好ましくは約5重量%〜約30重量%の比率で存在することが好ましい。
【００８５】
一変法によれば、本発明は、ケラチンのジスルフィド結合を還元し得る還元剤を含有する。この還元剤は、上記で定義した通りである。
【００８６】
この染料組成物は、アニオン性、カチオン性、非イオン性、両性もしくは両性イオン性界面活性剤またはそれらの混合界面活性剤、アニオン性、カチオン性、非イオン性、両性もしくは両性イオン性ポリマーまたはそれらのブレンド、無機または有機増粘剤、特にアニオン性、カチオン性、非イオン性および両性会合性ポリマー増粘剤、抗酸化剤、浸透剤、金属イオン封鎖剤、香料、緩衝液、分散剤、例えば変性または未変性の揮発性または不揮発性アミノシリコーンなどのシリコーンなどの調整剤、被膜剤、セラミド、保存料、乳白剤あるいは導電性ポリマーなどの、髪染色用組成物に従来使用されている種々の補助剤も含有してもよい。
【００８７】
上記補助剤は、一般に、補助剤それぞれに関して、組成物の重量に対して0.01重量%〜20重量%の量で存在する。
【００８８】
当然、本発明による染料組成物に本質的に関連した有利な特性が、想定される追加(複数も)により損なわれないまたは実質的に損なわれないように、このまたはこれらの可能な追加の化合物は、当業者によって入念に選択されよう。
【００８９】
染料組成物のpHは、一般に、約4〜約14、好ましくは約5〜約11である。これは、ケラチン繊維の染色に通常使用される酸性化剤または塩基性化剤によって、そうでなければ従来の緩衝液系によって所望値に調整することができる。
【００９０】
酸性化剤には、例として、塩酸、オルトリン酸、硫酸、カルボン酸などの鉱酸または有機酸、例えば酢酸、酒石酸、クエン酸もしくは乳酸、またはスルホン酸を挙げることができる。
【００９１】
塩基性化剤には、例として、アンモニア水、アルカリ炭酸塩、モノ-、ジ-およびトリエタノールアミンなどのアルカノールアミン、またそれらの誘導体も、水酸化ナトリウムまたは水酸化カリウムならびに以下の式(γ)
【化３０】
2009533488.tif 000040
(式中、Waは、ヒドロキシル基またはC1〜C4アルキル基で置換されていてもよいプロピレン残基であり、Ra1、Ra2、Ra3およびRa4は、同一でも異なっていてもよく、水素原子、C1〜C4アルキル基またはC1〜C4ヒドロキシアルキル基を表す)
の化合物を挙げることができる。
【００９２】
この染料組成物は、液体、クリームもしくはジェルの形態、またはケラチン繊維、特に髪を染色するのに適する任意の他の形態などの種々の形態であってもよい。
【００９３】
本発明の方法における具体的な実施形態によれば、還元剤は、式(I)、(II)または(III)の複素環式蛍光染料を少なくとも1つ含有する組成物を塗付する前に前処理として塗付してもよい。
【００９４】
この還元剤は、チオール、例えばシステイン、ホモシステインまたはチオ乳酸、これらのチオールの塩、ホスフィン、亜硫酸水素塩、亜硫酸塩、チオグリコール酸、さらにそのエステルも、特にモノチオグリコール酸グリセリルおよびチオグリセロールから選択してもよい。この還元剤は、ホウ化水素およびその誘導体、例えばホウ化水素の塩、シアノホウ化水素の塩、トリアセトキシホウ化水素の塩、またはトリメトキシホウ化水素の塩、ナトリウム塩、リチウム塩、カリウム塩、カルシウム塩、第4級アンモニウム(テトラメチルアンモニウム、テトラエチルアンモニウム、テトラ-n-ブチルアンモニウム、ベンジルトリエチルアンモニウム)塩、カテコールボランからも選択してもよい。
【００９５】
この前処理の時間は、短くてもよく、上述の還元剤を使用した場合、特に0.1秒間〜30分間、好ましくは1分間〜15分間であってもよい。
【００９６】
複素環式チオール蛍光染料(III)がチオール官能基保護基Yを含む場合、本発明の方法では、SH官能基をその場で復元することを目的とする脱保護段階を先に行ってもよい。
【００９７】
例としては、以下のようにpHを調整することによって、Y保護基を有するS-Y官能基を脱保護することができる。
【表３】
2009533488.tif 000041
【００９８】
この脱保護段階は、髪前処理段階中、例えば髪の還元前処理中にも行うこともできる。
【００９９】
一変法によれば、還元剤は、使用時に式(I)、(II)または(III)の複素環式蛍光染料を少なくとも1つ含有する染料組成物に添加される。
【０１００】
別の方法によれば、式(I)、(II)または(III)の複素環式蛍光染料を少なくとも1つ含む組成物は、上記で定義した還元剤も少なくとも1つ含有する。次いで、この組成物は髪に塗付される。
【０１０１】
別の変法によれば、還元剤は、式(I)、(II)または(III)の蛍光染料を少なくとも1つ含有する組成物を塗付した後、後処理として塗付される。還元剤を使用する後処理の時間は、短くてもよく、上記の還元剤を使用した場合、例えば0.1秒間〜30分間、好ましくは1分間〜15分間であってもよい。具体的な実施形態によれば、還元剤は、上記のようなチオール種またはホウ化水素種の作用物質である。
【０１０２】
この染色方法では、別の変法は、式(I)または(II)の蛍光染料を還元剤と同時に塗付することである。
【０１０３】
本発明の具体的な実施形態は、式(I)、(II)または(III)の蛍光染料が、還元剤を使用せず、還元前処理または還元後処理なく髪に直接塗布できる方法に関する。
【０１０４】
酸化剤を使用する処理を、場合により組み合わせてもよい。当分野で常用されている任意の種類の酸化剤を使用してもよい。したがって、それは、過酸化水素、過酸化尿素、臭素酸アルカリ金属、過ホウ酸塩および過硫酸塩などの過酸基塩から、さらに酵素からも選択してもよく、それらのものには、ペルオキシダーゼ、ウリカーゼなどの2電子オキシドレダクターゼおよびラッカーゼなどの4電子オキシゲナーゼを挙げることができる。過酸化水素の使用は、特に好ましい。
【０１０５】
この酸化剤は、式(I)、(II)または(III)の蛍光染料を少なくとも1つ含有する組成物を塗布する前または塗布した後の繊維に塗布してもよい。
【０１０６】
本発明による染料組成物の塗付は、一般に、周囲温度で行われる。しかしながら、その塗付は、20〜180℃の範囲の温度で行ってもよい。
【０１０７】
本発明の主題は、第1区画が、式(I)、(II)または(III)の複素環式蛍光染料を少なくとも1つ含む染料組成物を含有し、第2区画が、ケラチン物質のジスルフィド官能基を還元し得る還元剤を含有する多区画デバイスまたは染色用キットでもある。
【０１０８】
これらの区画の1つは、直接染料種または酸化染料種の他の染料も1つまたは複数含有してもよい。
【０１０９】
本発明は、第1区画が、式(I)、(II)または(III)の複素環式チオール蛍光染料を少なくとも1つ含む染料組成物を含有し、第2区画が、ケラチン物質のジスルフィド結合および/または式(I)または(II)の染料のジスルフィド結合を還元し得る還元剤を含有し、第3区画が、酸化剤を含有する多区画デバイスにも関する。
【０１１０】
あるいは、染色用デバイスは、式(III)の保護チオール蛍光染料を少なくとも1つ含む染料組成物を含有する第1区画と保護チオールを脱保護することによりチオールを自由にし得る作用物質を含有する第2区画とを含有する。
【０１１１】
上述のデバイスの各々は、例えば、特許FR2586913に記載されているデバイスなどの、所望の混合物を髪へ送達する手段を備えてもよい。
【０１１２】
以下の実施例は、本発明を例示する役割を果たすが、これに限定されるものではまったくない。以下では、実施例の蛍光染料の特性を、従来の分光法および分光測定法によって決定した。
【０１１３】
(実施例)
合成実施例
(実施例1)
4,4'-{ジスルファンジイルビス[エタン-2,1-ジイルピペラジン-4,1-ジイル-4,1-フェニレン(E)エテン-2,1-ジイル]}ビス(1-メチルピリジニウム)ジメチル硫酸塩[1]の合成
【化３１】
2009533488.tif 000042
【化３２】
2009533488.tif 000043
【０１１４】
段階1:4,4'-[ジスルファンジイルビス(エタン-2,1-ジイルピペラジン-4,1-ジイル)]ジベンズアルデヒドの合成
4-ピペラジン-1-イルベンズアルデヒド2.5g、1-ブロモ-2-[(2-ブロモエチル)ジスルファニル]エタン1.37g、炭酸カリウム(K2CO3)7.3gおよびN-メチルピロリジノン(NMP)20mlを、75℃で55時間混合する。この生成物を、シリカゲルクロマトグラフィー(溶出剤:80/20のアセトン/ヘプタン次いで90/10のジクロロメタン/メタノール)によって精製する。黄色油469mgを回収する。分析から、この生成物は適合していることが示される。
【０１１５】
段階2:4,4'-{ジスルファンジイルビス[エタン-2,1-ジイルピペラジン-4,1-ジイル-4,1-フェニレン(E)エテン-2,1-ジイル]}ビス(1-メチルピリジニウム)ジメチル硫酸塩[1]の合成
4,4'-[ジスルファンジイルビス(エタン-2,1-ジイル-ピペラジン-4,1-ジイル)]ジベンズアルデヒド469mg、イソプロパノール(iPrOH)5ml、1,4-ジメチルピリジニウムメチル硫酸塩415mg、ピロリジン80mg、酢酸56mgおよびジクロロメタン5mlを、周囲温度で24時間、次いで40℃で24時間混合する。この混合物を冷却した後、アセトン20mlを添加し、得られた沈殿物を、濾過し、イソプロパノール10mlを使用して洗浄し、次いでアセトン25mlを使用して3回洗浄し、乾燥する。赤色粉末610mgを回収する。分析から、この生成物は適合していることが示される。
NMR 1H(400MHz,MeOH-d4)2.68(m,8H)、2.78(t,4H)、2.95(t,4H)、3.37(m,8H)、3.68(s,6H)、4.24(s,6H)、7(d,4H)、7.16(d,2H)、7.62(d,4H)、7.82(d,2H)、8.01(d,4H)、8.56(d,4H)。
【０１１６】
(実施例2):1-メチル-4-((E)-2-{4-[4-(2-スルファニルエチル)ピペラジン-1-イル]フェニル}ビニル)ピリジニウムメチル硫酸塩[2]の合成
【化３３】
2009533488.tif 000044
合成スキーム
【化３４】
2009533488.tif 000045
【０１１７】
手順
1-メチル-4-((E)-2-{4-[4-(2-スルファニルエチル)ピペラジン-1-イル]フェニル}ビニル)ピリジニウム塩[2]の合成
化合物[1]16mgを、水/エタノール混合液(v/v:1/1)10ml中に溶解する。水1ml中に溶解している3-[ビス(2-カルボキシエチル)ホスフィノ]プロパン酸塩酸塩水和物60mg(2eq.)および水1ml中に溶解している重炭酸ナトリウム21mg(4eq.)をその混合溶液に添加する。不活性雰囲気下で、40℃で30分間攪拌した後、分析から、この混合物は予想される生成物[2]を極めてほとんど含有することが示される。
【０１１８】
LC-MS分析:LC-DAD(400〜700nm)
カラム:Waters XTerra MS C18 5μm(4.6×50)mm
移動相:A:水+0.1%ギ酸/B:アセトニトリル
直線勾配:T(分)A%/B%:0分95/5;8分0/100
流速:1ml/分
検出:UVダイオードアレイλ=400〜700nm
滞留時間t=3.0分
相対純度>90%
MS(ESI+)m/z=285は、予想される生成物[2]のモノカチオンについての質量ピークに相当する
【０１１９】
染色実施例
(実施例1)
-染色方法-化合物[1]
【表４】
2009533488.tif 000046
【表５】
2009533488.tif 000047
【０１２０】
使用時に、組成物A(9ml)およびB(1ml)を混合し、次いで、得られた混合物を、周囲温度で30分間、暗色(色調の高さ4)の髪1gの房に塗付する(この房を、15分後にひっくり返し再度染み込ませる)。
【０１２１】
流水でリンスし乾燥した後、そのように処理した髪の明色化が認められ、色調の高さ4の房は、未処理の対照房より視覚的に明るくなった。
【０１２２】
(実施例2)
-化合物[2]を使用する染色方法
合成実施例の化合物[2]の新鮮な溶液10mlを、周囲温度で30分間ボウルの底に置いた色調の高さ4の髪1gの房に塗付する(この房を、15分後にひっくり返し再度染み込ませる)。次いで、この房を、流水でリンスし、乾燥する。
【０１２３】
染色後、色調の高さ4の房は、未処理の対照房より視覚的に明るくなった。
【０１２４】
継続的なシャンプー作業に対する残留度:
そのように処理した房を2つに分け、各半分を、その房を水で濡らす段階、従来のシャンプーで洗浄する段階、水でリンスする段階、次いで乾燥する段階を含むサイクルによる5回の継続的なシャンプー作業にかける。
【０１２５】
目視観測
シャンプー作業中、目に見えるにじみはなく、シャンプーの泡およびリンス水は、着色されていない。
【０１２６】
房上に認められる色は保持され、そのように処理した色調の高さ4の髪に対する明色化効果は、依然として見られるままである。
【０１２７】
L*a*b*システムでの結果:
5回の洗浄前後の房の色を、KONICA MINOLTA(登録商標)CM 2600D分光光度計(光源D65)によるL*a*b*システムで評価した。
【０１２８】
このL*a*b*システムでは、L*は色の強さを表し、a*は緑色/赤色軸を示し、b*は青色/黄色軸を示す。Lの値が高ければ高いほど、色はより明るくまたはより弱くなり、逆にLの値が低ければ低いほど、色はより暗くまたはずっと強くなる。a*の値が高ければ高いほど、色合いはより赤くなり、b*の値が高ければ高いほど、色合いはより黄色くなる。
【０１２９】
TH4(色調の高さ4)の染色した髪の房と洗浄した髪の房との着色の変化を、以下の等式:
【数１】
2009533488.tif 000048
に従って(ΔE)によって測定する。
【０１３０】
この等式では、L*、a*およびb*は、染色する前に測定される値を表し、L0*、a0*およびb0*は、染色した後にまたは染色しシャンプー作業した後に測定される値を表す。
【０１３１】
ΔEの値が大きければ大きいほど、TH4の房と着色した房との色の差はより大きくなる。
【表６】
2009533488.tif 000049
【０１３２】
表中の結果から、5回のシャンプー作業の後でさえ色変化の有意差はないことが示される。したがって、髪に対する着色効果および明色化効果は実質的に変化しないままであることから、本発明の染料の非常に良好な耐シャンプー性が示される。
【０１３３】
反射率の結果:
本発明による組成物の明色化および継続的なシャンプー作業に対する前記組成物の残留度も、髪の反射率の関数として評価した。これらの反射率を、色調の高さTH4の未処理の髪の房の反射率と比較する。
【０１３４】
反射率は、KONICA MINOLTA(登録商標)CM 2600d分光色差計装置によって、400〜700ナノメートルの波長範囲内の可視光を使用して髪を照射した後に測定する。
【表７】
2009533488.tif 000050
【０１３５】
本発明による組成物を使用して処理した髪の房の反射率は、未処理の髪より高いことがまず第1に認められる。したがって、処理した房は、目に見えてより明るいように見える。
【０１３６】
さらに、この結果から、本発明の組成物を使用して処理した色調の高さ4の髪の房の反射率は、5回のシャンプー作業の後ほとんどまったく変化しないことが示される。したがって、髪に対する着色効果および明色化効果は実質的に変化しないままであることから、本発明の染料の、シャンプー作業に対する耐性が非常に良好であることが示される。
【手続補正書】
【提出日】平成20年12月2日(2008.12.2)
【手続補正１】
【補正対象書類名】特許請求の範囲
【補正対象項目名】全文
【補正方法】変更
【補正の内容】
【特許請求の範囲】
【請求項１】
以下の式(I)、(II)または(III)
【化１】
2009533488.tif 000064
[式(I)、(II)または(III)において、
RaおよびR'aは、同一でも異なっていてもよく、ヒドロキシル基またはアミノ基、(C1〜C4)アルキルアミノ基もしくは(C1〜C4)ジアルキルアミノ基で置換されていてもよいアリール(C1〜C4)アルキル基または(C1〜C6)アルキル基を表し、前記アルキル基は、それらの基を結合している窒素原子と共に、窒素と異なっても同一であってもよい別のヘテロ原子を場合により含み5〜7員を含む複素環を形成してもよく、
R'cは、水素原子、置換されていてもよいアリール(C1〜C4)アルキル基またはC1〜C6アルキル基を表し、
Rg、R'g、R"g、R"'g、Rh、R'h、R"hおよびR"'hは、同一でも異なっていてもよく、水素原子、ハロゲン原子、アミノ、(C1〜C4)アルキルアミノ、(C1〜C4)ジアルキルアミノ、シアノ、カルボキシル、ヒドロキシルもしくはトリフルオロメチルの各基、アシルアミノ、C1〜C4アルコキシ、C2〜C4(ポリ)ヒドロキシアルコキシ、アルキルカルボニルオキシ、アルコキシカルボニルもしくはアルキルカルボニルアミノの各基、アシルアミノ、カルバモイルもしくはアルキルスルホニルアミノの各基、アミノスルホニル基、または(C1〜C4)アルコキシ、ヒドロキシル、シアノ、カルボキシル、アミノ、(C1〜C4)アルキルアミノおよび(C1〜C4)ジアルキルアミノから選択される基で置換されていてもよい(C1〜C4)アルキル基を表し、そうでなければそのアミノ基の窒素原子に結合している2つのアルキル基が、その窒素原子と同一かもしくは異なる別のヘテロ原子を場合により含み5〜7員を含む複素環を形成し、
そうでなければ、2つの隣接した炭素原子に結合している2つの基RgおよびR'g、R"gおよびR"'g、RhおよびR'h、R"hおよびR"'hは、一緒になってベンゾ環もしくはインデノ環または縮合複素環式アルキル基もしくは縮合ヘテロアリール基を形成し;ベンゾ環、インデノ環、複素環式アルキル環もしくはヘテロアリール環は、ハロゲン原子、アミノ、(C1〜C4)アルキルアミノ、(C1〜C4)ジアルキルアミノ、シアノ、カルボキシル、ヒドロキシルもしくはトリフルオロメチルの各基、アシルアミノ、(C1〜C4)アルコキシ、C2〜C4(ポリ)ヒドロキシアルコキシ、アルキルカルボニルオキシ、アルコキシカルボニルもしくはアルキルカルボニルアミノの各基、カルバモイルもしくはアルキルスルホニルアミノの各基、アミノスルホニル基、または(C1〜C4)アルコキシ、ヒドロキシル、シアノ、カルボキシル、アミノ、(C1〜C4)アルキルアミノおよび(C1〜C4)ジアルキルアミノから選択される基で置換されていてもよい(C1〜C4)アルキル基で置換されていてもよく、そうでなければそのアミノ基の窒素原子に結合している2つのアルキル基が、その窒素原子と同一かもしくは異なる別のヘテロ原子を場合により含み5〜7員を含む複素環を形成し、
Ri、R'i、R"iおよびR"'iは、同一でも異なっていてもよく、水素原子または(C1〜C4)アルキル基を表し、
R1、R2、R3、R4、R'1、R'2、R'3およびR'4は、同一でも異なっていてもよく、水素原子または(C1〜C4)アルキル、(C1〜C4)アルコキシ、ヒドロキシル、シアノ、カルボキシル、アミノ、(C1〜C4)アルキルアミノもしくは(C1〜C4)ジアルキルアミノの各基を表し、前記アルキル基は、それらの基を結合している窒素原子と共に、窒素と異なっても同一であってもよい別のヘテロ原子を場合により含み5〜7員を含む複素環を形成してもよく、
TaまたはTbは、同一でも異なっていてもよく、
i)σ共有結合か、
ii)-SO2-、-O-、-S-、-N(R)-、-N+(R)(R°)-および-C(O)-(RおよびR°は、同一でも異なっていてもよく、水素原子、C1〜C4アルキル基もしくはC1〜C4ヒドロキシアルキル基またはアリール(C1〜C4)アルキルを表す)から選択される1つもしくは複数の基またはそれらの組合せか、
iii)あるいは、1つまたは2つのヘテロ原子、特に2つの窒素原子を含有し特に5〜7員を含む、好ましくは単環式の、カチオン性または非カチオン性複素環式アルキル基またはヘテロアリール基
のいずれかを表し、
【化２】
2009533488.tif 000065
は、同一でも異なっていてもよく、置換されていてもよいカチオン性または非カチオン性複素環式基を表し、
m、m'、nおよびn'は、同一でも異なっていてもよく、0〜6の両端を含めた整数を表し、m+nおよびm'+n'は、同一でも異なっていてもよく、1〜10の両端を含めた整数を表し、
M'は、アニオン性対イオンを表し、
Yは、i)水素原子、ii)アルカリ金属、iii)アルカリ土類金属、iv)アンモニウム基:N+RαRβRγRδもしくはホスホニウム基:P+RαRβRγRδ[Rα、Rβ、RγおよびRδは、同一でも異なっていてもよく、水素原子もしくは(C1〜C4)アルキル基を表す]、またはv)チオール官能基保護基を表し、
式(I)、(II)または(III)の化合物が他のカチオン性部分を含有する場合、1つまたは複数のアニオン性対イオンと結合するため、式(I)、(II)または(III)は電気的中性を達成できることが理解される]
の蛍光染料、その有機酸塩または鉱酸塩、それらの光学異性体および幾何異性体、ならびに水和物などのその溶媒和物。
【請求項２】
mおよびm'が0である、請求項1に記載の式(I)、(II)または(III)の蛍光染料。
【請求項３】
式
【化３】
2009533488.tif 000066
の複素環が、置換されていてもよいカチオン性または非カチオン性複素環式基
【化４】
2009533488.tif 000067
を表す、請求項1または2に記載の式(I)、(II)または(III)の蛍光染料。
【請求項４】
式
【化５】
2009533488.tif 000068
の複素環が、全体で1個の窒素原子を含み、5〜7員として形成される単環式飽和複素環式基を表す、請求項1または2に記載の式(I)、(II)または(III)の蛍光染料。
【請求項５】
Yが水素原子またはアルカリ金属を表す、請求項1から4のいずれか一項に記載の式(III)の蛍光染料。
【請求項６】
Yが保護基を表す、請求項1から4のいずれか一項に記載の式(III)の蛍光染料。
【請求項７】
Yが、以下の基:
(C1〜C4)アルキルカルボニル、
(C1〜C4)アルキルチオカルボニル、
(C1〜C4)アルコキシカルボニル、
(C1〜C4)アルコキシチオカルボニル、
(C1〜C4)アルキルチオチオカルボニル、
(ジ)(C1〜C4)(アルキル)アミノカルボニル、
(ジ)(C1〜C4)(アルキル)アミノチオカルボニル、
アリールカルボニル、
アリールオキシカルボニル、
アリール(C1〜C4)アルコキシカルボニル、
(ジ)(C1〜C4)(アルキル)アミノカルボニル、
(C1〜C4)(アルキル)アリールアミノカルボニル、
カルボキシル、
M+がアルカリ金属を表すSO3-,M+(そうでなければ式(III)のM'およびM+が存在しない)、
置換されていてもよいアリール、
置換されていてもよいヘテロアリール、
R'c、R'd、R'eおよびR'fが、同一でも異なっていてもよく、水素原子または(C1〜C4)アルキル基を表すイソチオウロニウム-C(NR'cR'd)=N+R'eR'f;An-、
R'c、R'dおよびR'eが上記で定義した通りであるイソチオ尿素-C(NR'cR'd)=NR'e、
置換されていてもよい(ジ)アリール(C1〜C4)アルキル、
置換されていてもよい(ジ)ヘテロアリール(C1〜C4)アルキル、
R1、R2およびR3が、同一でも異なっていてもよく、ハロゲン原子またはi)(C1〜C4)アルキルと、ii)(C1〜C4)アルコキシと、iii)置換されていてもよいアリールと、
置換されていてもよいヘテロアリールと、
R'1およびR'2が、同一でも異なっていてもよく、ヒドロキシル、(C1〜C4)アルコキシもしくはアルキル基を表し、R'3が、ヒドロキシル基もしくは(C1〜C4)アルコキシ基を表し、Z1が、酸素原子もしくは硫黄原子を表すP(Z1)R'1R'2R'3と
から選択される基を表すCR1R2R3、
立体障害環式基、ならびに
置換されていてもよいアルコキシ(C1〜C4)アルキル
から選択される保護基を表す、請求項6に記載の式(III)の蛍光染料。
【請求項８】
Yが、アルカリ金属または
(C1〜C4)アルキルカルボニル、
アリールカルボニル、
(C1〜C4)アルコキシカルボニル、
アリールオキシカルボニル、
アリール(C1〜C4)アルコキシカルボニル、
(ジ)(C1〜C4)(アルキル)アミノカルボニル、
(C1〜C4)(アルキル)アリールアミノカルボニル、
置換されていてもよいアリール、
カチオン性の5もしくは6員単環式ヘテロアリール、
カチオン性8〜11員二環式ヘテロアリール、
以下の式
【化６】
2009533488.tif 000069
のカチオン性複素環、
イソチオウロニウム-C(NH2)=N+H2,An-、
イソチオ尿素-C(NH2)=NH、および
M+がアルカリ金属を表すSO3-,M+(そうでなければ式(III)のM'およびM+が存在しない)
から選択される保護基を表す、請求項1から7のいずれか一項に記載の式(III)の蛍光染料。
【請求項９】
ピリジニウム部分とフェニルとを、そのオルトまたはパラ位で、即ち4-4'、2-2'、2-4'位で連結しているエチレン基を有する、請求項1から8のいずれか一項に記載の式(I)、(II)または(III)の蛍光染料。
【請求項１０】
対称性である、請求項1から4および請求項9のいずれか一項に記載の式(I)の蛍光染料。
【請求項１１】
染料
【表１Ａ】
2009533488.tif 000070
【表１Ｂ】
2009533488.tif 000071
【表１Ｃ】
2009533488.tif 000072
【表１Ｄ】
2009533488.tif 000073
【表１Ｅ】
2009533488.tif 000074
【表１Ｆ】
2009533488.tif 000075
【表１Ｇ】
2009533488.tif 000076
(M'およびAn-は、同一でも異なっていてもよく、アニオン性対イオンを表し、M+はアルカリ金属を表す)
から選択される、請求項1から10のいずれか一項に記載の蛍光染料。
【請求項１２】
請求項1から11のいずれか一項に記載の式(I)、(II)または(III)の複素環式蛍光染料を適切な化粧料用媒体中に含む染料組成物。
【請求項１３】
請求項1から11のいずれか一項に記載の式(I)、(II)または(III)の少なくとも1つの複素環式蛍光染料および少なくとも1つの還元剤を、適切な化粧料用媒体中に含む染料組成物。
【請求項１４】
式(I)、(II)または(III)の複素環式蛍光染料が、前記組成物の全重量に対して0.001重量%〜50重量%の量で存在する、請求項12または13に記載の組成物。
【請求項１５】
ケラチン物質のジスルフィド結合を還元し得る還元剤が場合により存在する下で、請求項1から11のいずれか一項に記載の式(I)、(II)または(III)の少なくとも1つの複素環式蛍光染料を適切な化粧料用媒体中に含む、請求項11から14のいずれか一項に記載の染料組成物が、該ケラチン物質に塗布される、ケラチン物質の染色方法。
【請求項１６】
ケラチン物質が、6以下、好ましくは4以下の色調の高さを有する暗色ケラチン繊維であることを特徴とする、請求項15に記載のケラチン物質の染色方法。
【請求項１７】
ケラチン繊維に酸化剤を塗付することからなる追加の段階を含む、請求項15または16に記載の方法。
【請求項１８】
第1区画が、請求項1から11に記載の式(I)、(II)または(III)の蛍光染料を含む染料組成物を含有し、第2区画が、ケラチン物質のジスルフィド結合を還元し得る還元剤を含有する、多区画デバイス。
【請求項１９】
ヒトの暗色ケラチン繊維を染色するため、特に暗色ケラチン繊維を明色化するための、好ましくはケラチン繊維が6未満の色調の高さを有する、請求項1から11に記載の複素環式チオール蛍光染料の使用。
【国際調査報告】
2009533488.tif 000077
2009533488.tif 000078
2009533488.tif 000079
2009533488.tif 000080
2009533488.tif 000081
2009533488.tif 000082